(57)【要約】  本発明は、医療用呼吸回路の構成要素のためのコネクタに関する。コネクタは、内側本体及び外側本体を含む。内側本体と外側本体とは、別個の構成要素である。内側本体は、別のコネクタと係合するように構成された保持機構を有し、及び内側本体を少なくとも部分的に包囲するように構成された外側本体であり、外側本体は、チューブ係合機構を有する。
2021533903.tif 000002
【特許請求の範囲】
【請求項１】
医療用呼吸回路の構成要素のためのコネクタであって、
別個の構成要素である内側本体及び外側本体
を含み、
前記内側本体は、別のコネクタと係合するように構成された保持機構を有し、及び
前記内側本体を少なくとも部分的に包囲するように構成された外側本体であり、前記外側本体は、チューブ係合機構を有する、コネクタ。
【請求項２】
前記内側本体は、前記内側本体と前記他のコネクタとの間にシールを提供するように構成された封止機構をさらに含む、請求項１に記載のコネクタ。
【請求項３】
前記内側本体の少なくとも一部は、第１材料を含み、及び前記外側本体の少なくとも一部は、第２材料を含む、請求項１又は２に記載のコネクタ。
【請求項４】
前記第１材料は、前記第２材料よりも堅い、請求項３に記載のコネクタ。
【請求項５】
前記内側本体の前記保持機構は、前記第１材料を含む屈曲領域を含む、請求項４に記載のコネクタ。
【請求項６】
前記保持機構は、前記屈曲領域を中心に前記本体に対して移動可能であるレバーを含む、請求項５に記載のコネクタ。
【請求項７】
前記レバーは、前記屈曲領域の１つの部分における保持部分と、前記屈曲領域の別の部分における作動部分とを有する、請求項６に記載のコネクタ。
【請求項８】
前記又は各レバーの前記保持部分は、前記第１材料を含む、請求項７に記載のコネクタ。
【請求項９】
前記又は各レバーの前記作動部分は、前記第１材料を含む、請求項７又は８に記載のコネクタ。
【請求項１０】
前記保持機構全体は、前記第１材料を含む、請求項５〜９のいずれか一項に記載のコネクタ。
【請求項１１】
前記保持機構は、２つのレバーを含む、請求項６〜１０のいずれか一項に記載のコネクタ。
【請求項１２】
係合解除形態における前記２つのレバーの前記保持部分間の距離は、係合形態における前記距離と同じであるか又はそれよりも小さい、請求項１１に記載のコネクタ。
【請求項１３】
係合形態における前記２つのレバーの前記保持部分間の距離は、係合解除形態における前記距離と同じである、請求項１１に記載のコネクタ。
【請求項１４】
前記外側本体は、前記内側本体の一部が前記外側本体内に位置し、及び前記内側本体の一部が前記外側本体の外側に位置することを可能にする切取部を有する、請求項１〜１３のいずれか一項に記載のコネクタ。
【請求項１５】
前記外側本体の外側に位置する前記内側本体の前記一部は、前記保持機構である、請求項１４に記載のコネクタ。
【請求項１６】
前記屈曲領域は、ブリッジによって提供される、請求項４〜１５のいずれか一項に記載のコネクタ。
【請求項１７】
前記ブリッジは、前記ブリッジを前記外側本体と位置合せする特徴部を有する、請求項１６に記載のコネクタ。
【請求項１８】
前記特徴部は、位置合せボスである、請求項１７に記載のコネクタ。
【請求項１９】
前記ブリッジは、前記作動部分と前記保持部分との間に配置される、請求項１６〜１８のいずれか一項に記載のコネクタ。
【請求項２０】
前記ブリッジは、強化特徴部を含む、請求項１６〜１９のいずれか一項に記載のコネクタ。
【請求項２１】
前記強化特徴部は、前記作動部分と前記ブリッジとの間の交差部に段状部を含む、請求項２０に記載のコネクタ。
【請求項２２】
前記強化特徴部は、前記レバーの両側から前記ブリッジの中心平面に向かって互いに向かって延在する２つの段状部を含む、請求項２０又は２１に記載のコネクタ。
【請求項２３】
前記強化特徴部は、前記ブリッジの厚肉部分を含む、請求項２０〜２２のいずれか一項に記載のコネクタ。
【請求項２４】
前記厚肉部分は、前記作動部分と前記ブリッジとの交差部に提供される、請求項２３に記載のコネクタ。
【請求項２５】
前記作動部分は、前記作動部分の屈曲を制限するリブを含む、請求項１９〜２４のいずれか一項に記載のコネクタ。
【請求項２６】
前記内側本体全体は、前記第１材料を含む、請求項３〜２５のいずれか一項に記載のコネクタ。
【請求項２７】
前記第１材料は、前記第２材料よりも高いヤング率を有する、請求項３〜２６のいずれか一項に記載のコネクタ。
【請求項２８】
前記第２材料は、ポリオレフィンを含む、請求項３〜２７のいずれか一項に記載のコネクタ。
【請求項２９】
前記第２材料は、ポリプロピレンを含む、請求項３〜２８のいずれか一項に記載のコネクタ。
【請求項３０】
前記第１材料は、ポリオキシメチレンを含む、請求項３〜２９のいずれか一項に記載のコネクタ。
【請求項３１】
前記内側本体の内腔と前記外側本体の内腔とは、実質的に位置合せされる、請求項１〜３０のいずれか一項に記載のコネクタ。
【請求項３２】
前記内側本体の前記内腔と前記外側本体の前記内腔とは、同軸状である、請求項１〜３１のいずれか一項に記載のコネクタ。
【請求項３３】
前記内側本体と前記外側本体とをともに封止するように構成された内側本体及び外側本体封止機構と、前記内側本体と前記外側本体をともに保持するように構成された内側本体及び外側本体保持機構とをさらに含み、前記内側本体及び外側本体封止機構と前記内側本体及び外側本体保持機構とは、別個の機構である、請求項１〜３２のいずれか一項に記載のコネクタ。
【請求項３４】
前記内側本体及び外側本体封止機構は、前記内側本体と前記外側本体とをともに保持するようにさらに構成される、請求項３３に記載のコネクタ。
【請求項３５】
前記内側本体及び外側本体封止機構は、突起を含み、好ましくは環状封止突起である、請求項３３又は３４に記載のコネクタ。
【請求項３６】
前記環状封止突起は、角度を付けられた断面輪郭を含む、請求項３５に記載のコネクタ。
【請求項３７】
前記環状封止突起は、前記内側本体の外面に提供され、且つ前記外側本体の内面と締り嵌め状態であるように構成される、請求項３６に記載のコネクタ。
【請求項３８】
前記内側本体及び外側本体保持機構は、突起を含み、任意選択的に、前記突起は、かかりである、請求項３３〜３７のいずれか一項に記載のコネクタ。
【請求項３９】
前記内側本体及び外側本体保持機構突起は、環状突起である、請求項３８に記載のコネクタ。
【請求項４０】
前記環状保持突起は、丸みのある断面輪郭を有する、請求項３９に記載のコネクタ。
【請求項４１】
前記内側本体及び外側本体保持機構は、相補的なくぼみ又はアパーチャを含み、前記相補的なくぼみ又はアパーチャは、環状くぼみ、アパーチャ又は凹部である、請求項３７〜４０のいずれか一項に記載のコネクタ。
【請求項４２】
前記環状封止突起及び環状保持突起は、異なる直径を有する、請求項３５〜３７のいずれか一項に従属する場合の請求項３９〜４１のいずれか一項に記載のコネクタ。
【請求項４３】
前記環状封止突起及び環状保持突起は、異なる断面輪郭を有する、請求項３５〜３７のいずれか一項に従属する場合の請求項３９〜４１のいずれか一項に記載のコネクタ。
【請求項４４】
前記内側本体の末端部は、前記外側本体の端部を越えて延在する、請求項３３〜４３のいずれか一項に記載のコネクタ。
【請求項４５】
前記末端部は、前記内側本体の残りの部分よりも大きい直径を有する、請求項２６〜４４のいずれか一項に記載のコネクタ。
【請求項４６】
前記内側本体は、前記末端部に向かって外向きにテーパ状である壁を含む、請求項３３〜４５のいずれか一項に記載のコネクタ。
【請求項４７】
前記末端部における前記内側本体の内壁の直径は、前記内壁の残りの部分の直径よりも大きい、請求項４６に記載のコネクタ。
【請求項４８】
前記末端部の前記内壁は、前記内側本体の前記内壁と平滑な且つ／又は連続した輪郭を形成する、請求項４７に記載のコネクタ。
【請求項４９】
請求項１〜４８のいずれか一項に記載のコネクタと、第２コネクタ及びチューブとの組合せであって、前記第２コネクタは、内部通路を有し、前記コネクタが前記第２コネクタ及び前記チューブと接続されると、前記内側本体は、前記第２コネクタの前記内部通路内に少なくとも部分的に位置し、及び前記保持機構は、前記第２コネクタと係合し、及び前記チューブ係合機構は、前記チューブと係合する、組合せ。
【請求項５０】
前記第２コネクタは、１つ又は複数の凹部を有し、及び前記保持機構は、前記１つ又は複数の凹部と係合する、請求項４９に記載の組合せ。
【請求項５１】
請求項１〜５０のいずれか一項に記載のコネクタと、第２コネクタとの組合せであって、前記第２コネクタは、内部通路を有し、前記コネクタが前記第２コネクタ及び前記チューブと接続されると、前記内側本体は、前記封止機構が前記内部通路と実質的に封止し、及び前記保持機構が前記第２コネクタの外側と係合するように、前記第２コネクタの前記内部通路内に少なくとも部分的に位置する、組合せ。
【請求項５２】
医療用呼吸回路の構成要素のためのコネクタであって、
ガス経路を画定する本体であって、手動で操作可能である作動特徴部を備えた保持機構を有する本体、
前記作動特徴部の上に延在するように構成され、且つ前記作動特徴部が手動で操作されることを可能にする、少なくとも１つの厚肉部分及び少なくとも１つの薄肉部分を含む可撓性エラストマーカバー
を含むコネクタ。
【請求項５３】
前記保持機構は、屈曲部分又はピボットを中心に前記本体に対して移動可能であるレバーである、請求項５２に記載のコネクタ。
【請求項５４】
前記レバーは、前記屈曲部分又はピボットの一方の側における保持部分と、前記屈曲部分又はピボットの他方の側における作動部分とを有する、請求項５２又は５３に記載のコネクタ。
【請求項５５】
前記エラストマーカバーは、前記作動部分に対応する厚肉部分を有する、請求項５４のいずれか一項に記載のコネクタ。
【請求項５６】
前記厚肉部分は、前記作動部分の外側形状に沿うような形状である、請求項５５に記載のコネクタ。
【請求項５７】
前記厚肉部分は、外面特徴部を有する、請求項５６に記載のコネクタ。
【請求項５８】
前記エラストマーカバーは、前記厚肉部分を前記エラストマーカバーの残りの部分に接続する薄肉部分を有する、請求項５２〜５７のいずれか一項に記載のコネクタ。
【請求項５９】
前記エラストマーカバーは、厚肉肩部を備えた基部を有する、請求項５２〜５８のいずれか一項に記載のコネクタ。
【請求項６０】
前記エラストマーカバーは、前記保持部分に近接する厚肉肩部を有する、請求項５２〜５９のいずれか一項に記載のコネクタ。
【請求項６１】
前記エラストマーカバーは、前記本体と摩擦嵌合されるか又は締り嵌めで嵌合される、請求項５２〜６０のいずれか一項に記載のコネクタ。
【請求項６２】
前記本体は、硬質プラスチックで形成される、請求項５２〜６１のいずれか一項に記載のコネクタ。
【請求項６３】
前記エラストマーカバーは、前記本体の外側形状に実質的に沿う形状を含む、請求項５２〜６２のいずれか一項に記載のコネクタ。
【請求項６４】
前記エラストマーカバーは、前記本体とキー接続する、請求項６３に記載のコネクタ。
【請求項６５】
前記エラストマーカバーは、前記本体の相補的なフランジと係合する凹部を有する、請求項５２〜６４のいずれか一項に記載のコネクタ。
【請求項６６】
前記本体は、前記カバーを支持する１つ又は複数のリブを有する、請求項５２〜６５のいずれか一項に記載のコネクタ。
【請求項６７】
少なくとも１つの電気接点をさらに含む、請求項５２〜６６のいずれか一項に記載のコネクタ。
【請求項６８】
前記本体は、電気接続部の周囲を気密封止する材料を有する、請求項５２〜６７のいずれか一項に記載のコネクタ。
【請求項６９】
請求項５２〜６８のいずれか一項に記載のコネクタと、第２コネクタとの組合せであって、前記コネクタが前記第２コネクタ及びチューブと接続されると、前記保持機構は、前記第２コネクタと係合する、組合せ。
【請求項７０】
前記第２コネクタは、１つ又は複数の凹部を有し、及び前記保持機構は、前記１つ又は複数の凹部と係合する、請求項６９に記載の組合せ。
【請求項７１】
チューブをさらに含み、前記コネクタは、チューブ係合機構を含み、及び前記チューブ係合機構は、前記チューブと係合する、請求項６９又は７０に記載の組合せ。
【請求項７２】
医療用呼吸回路の構成要素のためのコネクタであって、内部通路を有する第２コネクタを接続するように構成され、
ガス流路を含み、且つ前記第２コネクタの前記内部通路内に少なくとも部分的に位置するように構成された本体であって、前記内部通路と封止する封止機構を有する本体と、
前記第２コネクタの外側と係合する保持機構と
を含み、前記保持機構は、屈曲領域を中心に前記本体に対して移動可能であるレバーを含み、前記レバーは、前記屈曲領域の一方の側における保持部分と、前記屈曲領域の他方の側における作動部分とを有する、コネクタ。
【請求項７３】
前記封止機構は、封止部材を含む、請求項７２に記載のコネクタ。
【請求項７４】
前記封止部材は、ワイパシールであるか又はワイパシールを含む、請求項７２又は７３に記載のコネクタ。
【請求項７５】
前記封止部材は、Ｏリングであるか又はＯリングを含む、請求項７２〜７４のいずれか一項に記載のコネクタ。
【請求項７６】
前記本体は、前記封止部材を受け入れるための凹部を有する、請求項７２〜７５のいずれか一項に記載のコネクタ。
【請求項７７】
前記封止部材は、静止時外径を有し、前記封止部材の前記静止時外径は、それが封止する前記内部通路の内径よりも大きい、請求項７２〜７６のいずれか一項に記載のコネクタ。
【請求項７８】
前記保持部分は、前記コネクタの中心に向かって延在する突起を含む、請求項７２〜７７のいずれか一項に記載のコネクタ。
【請求項７９】
前記突起は、前記コネクタの前記中心を通して延在する中心軸に対して角度を付けられる、請求項７８に記載のコネクタ。
【請求項８０】
前記突起は、約８５°〜約１１５°、代わりに約９０°〜約１１０°、代わりに約９３°〜約１０２°、代わりに約９５°〜約９９°において角度を付けられる、請求項７９に記載のコネクタ。
【請求項８１】
前記屈曲領域は、ブリッジによって提供される、請求項７２〜８０のいずれか一項に記載のコネクタ。
【請求項８２】
前記保持機構は、２つのレバーを含む、請求項７２〜８１のいずれか一項に記載のコネクタ。
【請求項８３】
前記コネクタの前記中心に向かう前記作動部分の移動は、前記コネクタの前記中心から離れて移動する前記保持機構の移動を引き起こす、請求項７２〜８２のいずれか一項に記載のコネクタ。
【請求項８４】
前記本体は、内側本体であり、及び前記コネクタは、外側本体をさらに含む、請求項７２〜８３のいずれか一項に記載のコネクタ。
【請求項８５】
前記内側本体の一部は、前記外側本体の内側に位置し、及び前記保持機構は、前記外側本体の外側に位置する、請求項８４に記載のコネクタ。
【請求項８６】
請求項７２〜８５のいずれか一項に記載のコネクタと、第２コネクタとの組合せであって、前記第２コネクタは、内部通路を有し、前記内側本体は、前記封止機構が前記内部通路と実質的に封止し、及び前記保持機構が前記第２コネクタの外側と係合し、及び前記保持機構が前記第２コネクタと係合するように、前記第２コネクタの前記内部通路内に少なくとも部分的に位置する、組合せ。
【請求項８７】
前記第２コネクタは、１つ又は複数の凹部を有し、及び前記保持機構は、前記１つ又は複数の凹部と係合する、請求項８６に記載の組合せ。
【請求項８８】
接続されると、前記コネクタは、約３０Ｎ以上の分離力に耐えることができる、請求項８７に記載の組合せ。
【請求項８９】
接続されると、前記コネクタは、約５０Ｎ以上の分離力に耐えることができる、請求項８８に記載の組合せ。
【発明の詳細な説明】
【技術分野】
【０００１】
本開示は、概して、導管の末端部に提供されるコネクタに関する。より詳細には、本開示は、医療用呼吸回路の一部を形成する医療用呼吸導管の末端部に提供される、回路の端部と回路の別のデバイス（例えば、加湿器若しくは流れ発生器又は別の導管）とを解除可能であるが、確実に接続するための、解除可能であるが、確実なコネクタに関する。
【背景技術】
【０００２】
医療用呼吸導管等の導管の端部における、医療用呼吸回路等の呼吸回路の一部を形成するデバイスと接続する代替的な形態のコネクタが望ましい。
【０００３】
特に、解除可能であるが、確実な接続を提供するこうしたコネクタを提供することにより、特定の利点が促進される。例えば、導管の末端部とデバイス（加湿器又はブロワ等の流れ発生器）との間又は２つの導管間の確実な接続により、操作者又はユーザ（及び患者）に所望の又は意図された呼吸療法の送達の確実性が与えられる。
【発明の概要】
【発明が解決しようとする課題】
【０００４】
本明細書に開示するいくつかの実施形態の目的は、上述したことに対する改善を少なくともいくらか促進するか、又は少なくとも公衆若しくは医療専門家に対して有用な選択肢を提供する、医療用呼吸回路又は呼吸補助システムで使用されるコネクタを提供することである。
【課題を解決するための手段】
【０００５】
第１態様では、医療用呼吸回路の構成要素のためのコネクタが提供され、コネクタは、別個の構成要素である内側本体及び外側本体を含み、内側本体は、別のコネクタと係合するように構成された保持機構を有し、及び外側本体は、内側本体を少なくとも部分的に包囲するように構成され、外側本体は、チューブ係合機構を有する。
【０００６】
１つの実施形態では、内側本体は、内側本体と他のコネクタとの間にシールを提供するように構成された封止機構をさらに含む。
【０００７】
１つの実施形態では、内側本体の少なくとも一部は、第１材料を含み、及び外側本体の少なくとも一部は、第２材料を含む。
【０００８】
１つの実施形態では、第１材料は、第２材料よりも堅い。
【０００９】
１つの実施形態では、内側本体の保持機構は、第１材料を含む屈曲領域を含む。
【００１０】
１つの実施形態では、保持機構は、屈曲領域を中心に本体に対して移動可能であるレバーを含む。
【００１１】
１つの実施形態では、レバーは、屈曲領域の一方の側における保持部分と、屈曲領域の他方の側における作動部分とを有する。
【００１２】
１つの実施形態では、レバーは、屈曲領域の１つの部分における保持部分と、屈曲領域の別の部分における作動部分とを有する。
【００１３】
１つの実施形態では、その又は各レバーの保持部分は、第１材料を含む。
【００１４】
１つの実施形態では、その又は各レバーの作動部分は、第１材料を含む。
【００１５】
１つの実施形態では、保持機構全体は、第１材料を含む。
【００１６】
１つの実施形態では、保持機構は、２つのレバーを含む。
【００１７】
１つの実施形態では、係合解除形態における２つのレバーの保持部分間の距離は、係合形態におけるその距離と同じであるか又はそれよりも小さい。
【００１８】
１つの実施形態では、係合形態における２つのレバーの保持部分間の距離は、係合解除形態におけるその距離と同じである。
【００１９】
１つの実施形態では、外側本体は、内側本体の一部が外側本体内に位置し、及び内側本体の一部が外側本体の外側に位置することを可能にする切取部を有する。
【００２０】
１つの実施形態では、外側本体の外側に位置する内側本体の一部は、保持機構である。
【００２１】
１つの実施形態では、屈曲領域は、ブリッジによって提供される。
【００２２】
１つの実施形態では、ブリッジは、ブリッジを外側本体と位置合せする特徴部を有する。
【００２３】
１つの実施形態では、特徴部は、位置合せボスである。
【００２４】
１つの実施形態では、ブリッジは、作動部分と保持部分との間に配置される。
【００２５】
１つの実施形態では、ブリッジは、強化特徴部を含む。
【００２６】
１つの実施形態では、強化特徴部は、作動部分とブリッジとの間の交差部に段状部を含む。
【００２７】
１つの実施形態では、強化特徴部は、レバーの両側からブリッジの中心平面に向かって互いに向かって延在する２つの段状部を含む。
【００２８】
１つの実施形態では、強化特徴部は、ブリッジの厚肉部分を含む。
【００２９】
１つの実施形態では、厚肉部分は、作動部分とブリッジとの交差部に提供される。
【００３０】
１つの実施形態では、作動部分は、作動部分の屈曲を制限するリブを含む。
【００３１】
１つの実施形態では、内側本体全体は、第１材料を含む。
【００３２】
１つの実施形態では、第１材料は、第２材料よりも高いヤング率を有する。
【００３３】
１つの実施形態では、第２材料は、ポリオレフィンを含む。
【００３４】
１つの実施形態では、第２材料は、ポリプロピレンを含む。
【００３５】
１つの実施形態では、第１材料は、ポリオキシメチレンを含む。
【００３６】
１つの実施形態では、内側本体の内腔と外側本体の内腔とは、実質的に位置合せされる。
【００３７】
１つの実施形態では、内側本体の内腔と外側本体の内腔とは、同軸状である。
【００３８】
１つの実施形態では、コネクタは、内側本体と外側本体とをともに封止するように構成された内側本体及び外側本体封止機構と、内側本体と外側本体をともに保持するように構成された内側本体及び外側本体保持機構とをさらに含み、内側本体及び外側本体封止機構と内側本体及び外側本体保持機構とは、別個の機構である。
【００３９】
１つの実施形態では、内側本体及び外側本体封止機構は、内側本体と外側本体とをともに保持するようにさらに構成される。
【００４０】
１つの実施形態では、内側本体及び外側本体封止機構は、突起を含む。任意選択的に、封止機構は、環状封止突起である。
【００４１】
１つの実施形態では、内側本体及び外側本体封止機構は、相補的な凹部を含む。
【００４２】
１つの実施形態では、内側本体は、突起を含み、及び外側本体は、凹部を含む。１つの実施形態では、環状封止突起は、角度を付けられた断面輪郭を含む。
【００４３】
１つの実施形態では、環状封止突起は、内側本体の外面に提供され、且つ外側本体の内面と締り嵌め状態であるように構成される。
【００４４】
１つの実施形態では、内側本体及び外側本体保持機構は、突起、好ましくはかかりを含む。
【００４５】
１つの実施形態では、内側本体及び外側本体保持機構は、相補的なくぼみ又はアパーチャを含む。
【００４６】
１つの実施形態では、相補的なくぼみ又はアパーチャは、１つ又は複数の壁によって画定され、及びその又は各かかりは、１つ又は複数の壁と当接することなく、相補的なくぼみ又はアパーチャ内に位置決めされる。
【００４７】
１つの実施形態では、内側本体及び外側本体保持機構突起は、環状突起であり、環状保持突起である。
【００４８】
１つの実施形態では、突起は、角度を付けられた断面輪郭を含む。
【００４９】
１つの実施形態では、環状保持突起は、丸みのある断面輪郭を有する。
【００５０】
１つの実施形態では、突起は、外側本体の内面と締り嵌めであるように構成される。
【００５１】
１つの実施形態では、相補的なくぼみ又はアパーチャは、環状くぼみ又はアパーチャである。
【００５２】
１つの実施形態では、内側本体及び外側本体保持機構突起は、相補的なくぼみ又はアパーチャを含み、相補的なくぼみ又はアパーチャは、環状くぼみ、アパーチャ又は凹部である。
【００５３】
１つの実施形態では、環状封止突起及び環状保持突起は、異なる直径を有する。
【００５４】
１つの実施形態では、環状封止突起及び環状保持突起は、異なる断面輪郭を有する。
【００５５】
１つの実施形態では、環状保持突起は、丸みのある断面輪郭を有する。
【００５６】
１つの実施形態では、環状保持突起は、角度を付けられた断面輪郭を有する。
【００５７】
１つの実施形態では、内側本体及び外側本体封止機構は、内側本体のテーパ状壁と外側本体の相補的なテーパ状壁との締り嵌めを含む。
【００５８】
１つの実施形態では、内側本体の末端部は、外側本体の端部を越えて延在する。
【００５９】
１つの実施形態では、末端部は、内側本体の残りの部分よりも大きい直径を有する。
【００６０】
１つの実施形態では、内側本体は、末端部に向かって外向きにテーパ状である壁を含む。
【００６１】
１つの実施形態では、末端部における内側本体の内壁の直径は、内壁の残りの部分の直径よりも大きい。
【００６２】
１つの実施形態では、末端部の内壁は、内側本体の内壁と平滑な且つ／又は連続した輪郭を形成する。
【００６３】
１つの実施形態では、内側本体は、チューブから独立した又はチューブ接続特徴部のない別個の構成要素として提供される。
【００６４】
１つの実施形態では、外側本体は、チューブ接続特徴部を提供され、及び内側本体は、チューブ接続特徴部がない。
【００６５】
１つの実施形態では、内側本体は、チューブ接続特徴部を含まない。
【００６６】
１つの実施形態では、外側本体は、チューブ接続特徴部を含み、内側本体及び外側本体のアセンブリが作製されると、前記アセンブリは、外側本体のチューブ接続特徴部のみを介してチューブに接続される。
【００６７】
別の態様によれば、上述したようなコネクタと、第２コネクタ及びチューブとの組合せが提供され、第２コネクタは、内部通路を有し、内側本体は、第２コネクタの内部通路内に少なくとも部分的に位置し、及び保持機構は、第２コネクタと係合し、及びチューブ係合機構は、チューブと係合する。
【００６８】
１つの実施形態では、第２コネクタは、１つ又は複数の凹部を有し、及び保持機構は、その１つ又は複数の凹部と係合する。
【００６９】
１つの実施形態では、第２コネクタとの組合せが提供され、第２コネクタは、内部通路を有し、内側本体は、封止機構が内部通路と実質的に封止し、及び保持機構が第２コネクタの外側と係合するように、第２コネクタの内部通路内に少なくとも部分的に位置する。
【００７０】
１つの実施形態では、第２コネクタとの組合せが提供され、第２コネクタは、内部通路を有し、コネクタが第２コネクタ及びチューブと接続されると、内側本体は、封止機構が内部通路と実質的に封止し、及び保持機構が第２コネクタの外側と係合するように、第２コネクタの内部通路内に少なくとも部分的に位置する。
【００７１】
医療用呼吸回路の構成要素のためのコネクタであって、ガス経路を画定する本体であって、手動で操作可能である作動特徴部を備えた保持機構を有する本体と、作動特徴部が手動で操作されることを可能にしながら、作動特徴部の上に延在するように構成された可撓性エラストマーカバーとを含むコネクタである。
【００７２】
医療用呼吸回路の構成要素のためのコネクタであって、ガス経路を画定する本体であって、手動で操作可能である作動特徴部を備えた保持機構を有する本体と、作動特徴部の上に延在するように構成され、且つ作動特徴部が手動で操作されることを可能にする、少なくとも１つの厚肉部分及びと少なくとも１つの薄肉部分を含む可撓性エラストマーカバーとを含むコネクタである。
【００７３】
１つの実施形態では、保持機構は、屈曲部分又はピボットを中心に本体に対して移動可能であるレバーである。
【００７４】
１つの実施形態では、レバーは、屈曲部分又はピボットの一方の側における保持部分と、屈曲部分又はピボットの他方の側における作動部分とを有する。
【００７５】
１つの実施形態では、エラストマーカバーは、作動部分に対応する厚肉部分を有する。
【００７６】
１つの実施形態では、厚肉部分は、作動部分の外側形状に沿うような形状である。
【００７７】
１つの実施形態では、厚肉部分は、外面特徴部を有する。
【００７８】
１つの実施形態では、エラストマーカバーは、厚肉部分をエラストマーカバーの残りの部分に接続する薄肉部分を有する。
【００７９】
１つの実施形態では、エラストマーカバーは、厚肉肩部を備えた基部を有する。
【００８０】
１つの実施形態では、エラストマーカバーは、保持部分に近接する厚肉肩部を有する。
【００８１】
１つの実施形態では、エラストマーカバーは、本体と摩擦嵌合されるか又は締り嵌めで嵌合される。
【００８２】
１つの実施形態では、本体は、硬質プラスチックで形成される。
【００８３】
１つの実施形態では、エラストマーカバーは、本体の外側形状に実質的に沿う形状を含む。
【００８４】
１つの実施形態では、エラストマーカバーは、本体とキー接続する。
【００８５】
１つの実施形態では、エラストマーカバーは、本体の相補的なフランジと係合する凹部を有する。
【００８６】
１つの実施形態では、本体は、カバーを支持する１つ又は複数のリブを有する。
【００８７】
１つの実施形態では、コネクタは、少なくとも１つの電気接点をさらに含む。
【００８８】
１つの実施形態では、本体は、電気接続部の周囲を気密封止する材料を有する。
【００８９】
１つの実施形態では、材料は、カバーを支持するリブを有する。
【００９０】
別の態様によれば、上述したようなコネクタと、第２コネクタとの組合せが提供され、保持機構は、第２コネクタと係合する。
【００９１】
別の態様によれば、上述したようなコネクタと、第２コネクタとの組合せが提供され、コネクタが第２コネクタ及びチューブと接続されると、保持機構は、第２コネクタと係合する。
【００９２】
１つの実施形態では、第２コネクタは、１つ又は複数の凹部を有し、及び保持機構は、その１つ又は複数の凹部と係合する。
【００９３】
１つの実施形態では、組合せは、チューブをさらに含み、コネクタは、チューブ係合機構を含み、及びチューブ係合機構は、チューブと係合する。
【００９４】
別の態様によれば、医療用呼吸回路の構成要素のためのコネクタが提供され、コネクタは、ガス経路を画定し、且つ外向きに延在する突起を有する本体と、外向きに延在する突起と本体の末端部との間に位置する封止部材とを含む。
【００９５】
１つの実施形態では、封止部材は、末端部からある距離に配置される。
【００９６】
１つの実施形態では、ガス経路は、末端部に向かって外向きにテーパ状である内壁によって画定される。
【００９７】
１つの実施形態では、本体は、末端部に向かって外向きにテーパ状である外壁を有する。
【００９８】
１つの実施形態では、末端部の内壁及び／又は外壁の直径は、本体の残りの部分の直径よりも大きい。
【００９９】
１つの実施形態では、本体は、末端部から封止部材に向かって延在する組立ガイドを有する。
【０１００】
１つの実施形態では、本体は、封止部材と末端部との間に肩部を有する。
【０１０１】
１つの実施形態では、突起は、本体の長手方向軸に対して概して平行である方向に延在する。
【０１０２】
１つの実施形態では、本体は、複数の外向きに延在する突起を含む。
【０１０３】
１つの実施形態では、複数の外向きに延在する突起の１つ又は複数は、位置合せガイドとして作用する、角度を付けられた又はテーパ状の端部を有する。
【０１０４】
別の態様によれば、医療用呼吸回路の構成要素のためのコネクタが提供され、コネクタは、内部経路を有する第２コネクタを接続するように構成され、コネクタは、第２コネクタの内部通路内に少なくとも部分的に位置するように構成された本体であって、内部通路と封止する封止機構を有する本体と、第２コネクタの外側と係合する保持機構とを含む。
【０１０５】
別の態様によれば、医療用呼吸回路の構成要素のためのコネクタが提供され、コネクタは、内部通路を有する第２コネクタを接続するように構成され、コネクタは、ガス流路を含み、且つ第２コネクタの内部通路内に少なくとも部分的に位置するように構成された本体であって、内部通路と封止する封止機構を有する本体と、第２コネクタの外側と係合する保持機構とを含み、保持機構は、屈曲領域を中心に本体に対して移動可能であるレバーを含み、レバーは、屈曲領域の一方の側における保持部分と、屈曲領域の他方の側における作動部分とを有する。
【０１０６】
１つの実施形態では、封止機構は、封止部材を含む。
【０１０７】
１つの実施形態では、封止部材は、ワイパシールであるか又はワイパシールを含む。
【０１０８】
１つの実施形態では、封止部材は、Ｏリングであるか又はＯリングを含む。
【０１０９】
１つの実施形態では、本体は、封止部材を受け入れるための凹部を有する。
【０１１０】
１つの実施形態では、封止部材は、静止時外径を有し、封止部材の静止時外径は、それが封止する内部通路の内径よりも大きい。
【０１１１】
１つの実施形態では、保持機構は、屈曲領域を中心に本体に対して移動可能であるレバーを含む。
【０１１２】
１つの実施形態では、レバーは、屈曲領域の一方の側における保持部分と、屈曲領域の他方の側における作動部分とを有する。
【０１１３】
１つの実施形態では、保持部分は、コネクタの中心に向かって延在する突起を含む。
【０１１４】
１つの実施形態では、突起は、コネクタの中心を通して延在する中心軸に対して角度を付けられる。
【０１１５】
１つの実施形態では、突起は、約８５°〜約１１５°、より好ましくは約９０°〜約１１０°、さらにより好ましくは約９３°〜約１０２°、最も好ましくは約９５°〜約９９°において角度を付けられる。
【０１１６】
１つの実施形態では、屈曲領域は、ブリッジによって提供される。
【０１１７】
１つの実施形態では、保持機構は、２つのレバーを含む。
【０１１８】
１つの実施形態では、コネクタの中心に向かう作動部分の移動は、コネクタの中心から離れて移動する保持機構の移動を引き起こす。
【０１１９】
１つの実施形態では、係合解除形態における２つのレバーの保持部分間の距離は、係合形態におけるその距離と同じであるか又はそれよりも小さい。
【０１２０】
１つの実施形態では、係合解除形態における２つのレバーの保持部分間の距離は、係合形態におけるその距離と同じである。
【０１２１】
１つの実施形態では、本体は、内側本体であり、及びコネクタは、外側本体をさらに含み、外側本体は、内側本体の一部が外側本体内に位置し、及び内側本体の一部が外側本体の外側に位置することを可能にする切取部を有する。
【０１２２】
１つの実施形態では、本体は、内側本体であり、及びコネクタは、外側本体をさらに含む。
【０１２３】
１つの実施形態では、内側本体の一部は、外側本体の内側に位置し、及び保持機構は、外側本体の外側に位置する。
【０１２４】
１つの実施形態では、ブリッジは、ブリッジを切取部と位置合せする特徴部を有する。
【０１２５】
１つの実施形態では、特徴部は、位置合せボスである。
【０１２６】
１つの実施形態では、本体は、内側本体であり、及びコネクタは、外側本体と、内側本体と外側本体とをともに封止するように構成された内側本体及び外側本体封止機構と、内側本体と外側本体とをともに保持するように構成された内側本体及び外側本体保持機構とをさらに含み、内側本体及び外側本体封止機構と保持機構とは、別個の機構である。
【０１２７】
１つの実施形態では、内側本体及び外側本体封止機構は、内側本体と外側本体とをともに保持するようにさらに構成される。
【０１２８】
１つの実施形態では、内側本体及び外側本体封止機構は、突起を含む。任意選択的に、封止機構は、環状封止突起である。
【０１２９】
１つの実施形態では、内側本体及び外側本体封止機構は、相補的な凹部を含む。
【０１３０】
１つの実施形態では、内側本体は、突起を含み、及び外側本体は、凹部を含む。
【０１３１】
１つの実施形態では、環状封止突起は、角度を付けられた断面輪郭を含む。
【０１３２】
１つの実施形態では、環状封止突起は、内側本体の外面に提供され、且つ外側本体の内面と締り嵌め状態であるように構成される。
【０１３３】
１つの実施形態では、内側本体及び外側本体保持機構は、突起、好ましくはかかりを含む。
【０１３４】
１つの実施形態では、内側本体及び外側本体保持機構は、相補的なくぼみ又はアパーチャを含む。
【０１３５】
１つの実施形態では、相補的なくぼみ又はアパーチャは、１つ又は複数の壁によって画定され、及びその又は各かかりは、１つ又は複数の壁と当接することなく、相補的なくぼみ又はアパーチャ内に位置決めされる。
【０１３６】
１つの実施形態では、内側本体及び外側本体保持機構突起は、環状突起である。
【０１３７】
１つの実施形態では、相補的なくぼみ又はアパーチャは、環状くぼみ又はアパーチャである。
【０１３８】
１つの実施形態では、環状封止突起及び環状保持突起は、異なる直径を有する。
【０１３９】
１つの実施形態では、環状封止突起及び環状保持突起は、異なる断面輪郭を有する。
【０１４０】
１つの実施形態では、環状保持突起は、丸みのある断面輪郭を有する。
【０１４１】
１つの実施形態では、環状保持突起は、角度を付けられた断面輪郭を有する。
【０１４２】
１つの実施形態では、内側本体及び外側本体封止機構は、内側本体のテーパ状壁と外側本体の相補的なテーパ状壁との締り嵌めを含む。
【０１４３】
１つの実施形態では、内側本体の末端部は、外側本体の端部を越えて延在する。
【０１４４】
１つの実施形態では、内側本体は、末端部が内側本体の残りの部分よりも広い直径を有するテーパ状外面を有する。
【０１４５】
別の態様では、上述したようなコネクタと、第２コネクタとの組合せが提供され、第２コネクタは、内部通路を有し、内側本体は、封止機構が内部通路と実質的に封止し、及び保持機構が第２コネクタの外側と係合し、及び保持機構が第２コネクタと係合するように、第２コネクタの内部通路内に少なくとも部分的に位置する。
【０１４６】
１つの実施形態では、第２コネクタは、１つ又は複数の凹部を有し、及び保持機構は、その１つ又は複数の凹部と係合する。
【０１４７】
１つの実施形態では、接続されると、コネクタは、約３０Ｎ以上の分離力に耐えることができる。
【０１４８】
１つの実施形態では、接続されると、コネクタは、約５０Ｎ以上の分離力に耐えることができる。
【０１４９】
別の態様では、医療用呼吸回路の構成要素のためのコネクタが提供され、コネクタは、チューブと係合するチューブ接続部分を含み、チューブ接続部分は、ガス経路を画定し、及びチューブ接続部分は、らせん形経路内に入る第１突起及び第２突起を有する。
【０１５０】
１つの実施形態では、らせん形経路は、第１縁部と、第２縁部と、第１縁部と第２縁部との間の幅とを有し、及び第１突起は、その経路の第１縁部に位置決めされる。
【０１５１】
１つの実施形態では、第２突起は、その経路の第１縁部に位置決めされる。
【０１５２】
１つの実施形態では、第２突起は、その経路の第２縁部に位置決めされる。
【０１５３】
１つの実施形態では、第２突起は、その経路の第１縁部とその経路の第２縁部との間に位置決めされる。
【０１５４】
１つの実施形態では、コネクタは、チューブ内のワイヤと電気接続する電気接点を有する。
【０１５５】
１つの実施形態では、電気接点は、デバイスと電気接続するように構成される。
【０１５６】
１つの実施形態では、コネクタは、チューブ内のワイヤを電気接点に向かって誘導する位置合せ特徴部を有する。
【０１５７】
１つの実施形態では、位置合せ特徴部は、チューブがカラーの上にねじこまれたときにワイヤの電気接点への横向き誘導を可能にする。
【０１５８】
１つの実施形態では、コネクタは、ワイヤを位置合せ特徴部まで誘導するガイドを有する。
【０１５９】
１つの実施形態では、コネクタは、電気接点を包囲及び封止する中間シェルをさらに含む。任意選択的に、中間シェルは、オーバーモールド部を含む。
【０１６０】
１つの実施形態では、外側本体の材料は、中間シェルの材料と同じであるか又は適合性がある。
【０１６１】
１つの実施形態では、コネクタは、ピンインサート及びワイヤを封止する中間シェルのための隆起した壁を有する。
【０１６２】
１つの実施形態では、コネクタは、電気接点を位置合せ特徴部に対して保持する保持手段を有する。
【０１６３】
１つの実施形態では、コネクタは、外向きにテーパ状である内壁を備えた電気接点コンパートメントを有する。
【０１６４】
１つの実施形態では、電気接点は、電気接点の上に提供されたオーバーモールド部を含む電気接点アセンブリを含む。
【０１６５】
１つの実施形態では、電気接点アセンブリは、コネクタのスロットと係合するように構成された突起を含む位置合せ特徴部を含む。
【０１６６】
１つの実施形態では、位置合せ特徴部は、コネクタの凹部と係合する肩部を含む。
【０１６７】
別の態様によれば、流れ発生器と、ハウジングであって、ハウジングの上面に配置された画面及び出口を有するハウジングと、チューブであって、チューブを出口に解除可能に接続するコネクタを含み、コネクタは、本体と、チューブと係合するチューブ接続部分とを含み、本体及びチューブ接続部分は、ガス経路を画定する、チューブとを含み、チューブ接続部分は、本体の長手方向軸から、約０°を超え且つ約９０°未満である角度で延在する、呼吸補助システムが提供される。
【０１６８】
１つの実施形態では、その角度は、約５°を超え且つ約６０°未満である。
【０１６９】
１つの実施形態では、その角度は、約１０°を超え且つ約４０°未満である。
【０１７０】
１つの実施形態では、その角度は、約１５°を超え且つ約２０°未満である。
【０１７１】
１つの実施形態では、コネクタは、チューブ内のワイヤと電気接続する電気接点を有し、チューブ接続部分は、電気接点の長手方向軸から、約０°を超え且つ約９０°未満である角度で延在する。
【０１７２】
１つの実施形態では、チューブ接続部分は、チューブの端部と軸方向に位置合せされる。
【０１７３】
別の態様によれば、チューブと、上述したコネクタとの組合せが提供される。
【０１７４】
１つの実施形態では、外側本体の材料は、チューブの材料と同じであるか又は適合性がある。
【０１７５】
別の態様によれば、医療用呼吸回路の構成要素のためのコネクタが提供され、コネクタは、内側本体及び外側本体と、内側本体と外側本体とをともに封止するように構成された内側本体及び外側本体封止機構と、内側本体と外側本体とをともに保持するように構成された内側本体及び外側本体保持機構とを含み、封止機構と保持機構とは、別個の機構である。
【０１７６】
１つの実施形態では、内側本体及び外側本体封止機構は、内側本体と外側本体とをともに保持するようにさらに構成される。
【０１７７】
１つの実施形態では、内側本体及び外側本体封止機構は、突起を含む。任意選択的に、封止機構は、環状封止突起である。内側本体及び外側本体封止機構は、相補的な凹部を含むことができる。１つの実施形態では、内側本体は、突起を含み、及び外側本体は、凹部を含む。
【０１７８】
１つの実施形態では、環状封止突起は、角度を付けられた断面輪郭を含む。
【０１７９】
１つの実施形態では、環状封止突起は、内側本体の外面に提供され、且つ外側本体の内面と締り嵌め状態であるように構成される。
【０１８０】
代替実施形態では、内側本体は、凹部を含み、及び外側本体は、突起を含む。
【０１８１】
１つの実施形態では、保持機構は、突起、好ましくはかかりを含む。保持機構は、相補的なくぼみ又はアパーチャを含むことができる。保持機構は、２つ以上のかかりを含むことができる。保持機構は、相補的なくぼみ又はアパーチャを含むことができる。
【０１８２】
１つの実施形態では、相補的なくぼみ又はアパーチャは、１つ又は複数の壁によって画定され、及びその又は各かかりは、１つ又は複数の壁と当接することなく、相補的なくぼみ又はアパーチャ内に位置決めされる。
【０１８３】
１つの実施形態では、保持機構突起は、環状突起である。相補的なくぼみ又はアパーチャは、環状くぼみ又はアパーチャである。
【０１８４】
１つの実施形態では、環状封止突起及び環状保持突起は、異なる直径を有する。
【０１８５】
１つの実施形態では、環状封止突起及び環状保持突起は、異なる断面輪郭を有する。
【０１８６】
１つの実施形態では、環状保持突起は、丸みのある断面輪郭を有する。別の実施形態では、環状保持突起は、角度を付けられた断面輪郭を有する。
【０１８７】
１つの実施形態では、内側本体及び外側本体封止機構は、内側本体のテーパ状壁と外側本体の相補的なテーパ状壁との締り嵌めを含む。
【０１８８】
１つの実施形態では、内側本体の末端部は、外側本体の端部を越えて延在する。
【０１８９】
１つの実施形態では、内側本体は、末端部が内側本体の残りの部分よりも幅の広い外径を有するテーパ状外面を有する。
【０１９０】
所定の実施形態及びそれらの変更形態は、当業者であれば、以下の図を参照する本明細書における詳細な説明から明らかになるであろう。
【図面の簡単な説明】
【０１９１】
【図１Ａ】フローセラピー装置の形態の呼吸補助装置を概略形態で示す。
【図１Ｂ】カバーを含むコネクタの斜視図である。
【図２】カバー及び中間シェルが取り除かれている、図１のコネクタの構成要素を示す斜視図である。
【図３】図２のコネクタの構成要素の別の斜視図である。
【図４】図２のコネクタの構成要素の下からの斜視図である。
【図５】図２のコネクタの構成要素の下からの別の斜視図である。
【図６Ａ−Ｄ】コネクタのカバーの斜視図である。
【図７】図２のコネクタの内側本体の斜視図である。
【図８】本明細書に記載するような封止部材とともに、図７の内側本体の下からの斜視図である。
【図９】図７の内側本体の別の斜視図である。
【図１０】図７の内側本体の正面図である。
【図１１】図７の内側本体の側面図である。
【図１２】図７の内側本体の底面図である。
【図１３】図７の内側本体の上面図である。
【図１４】図２のコネクタの外側本体の斜視図である。
【図１５】図１４の外側本体の下からの斜視図である。
【図１６】図１４の外側本体の正面図である。
【図１７】図１４の外側本体の背面図である。
【図１８】図１４の外側本体の側面図である。
【図１９】図１４の外側本体の上面図である。
【図２０】図１４の外側本体の底面図である。
【図２１】チューブ接続部分及びチューブの部分図である。
【図２２】本明細書に記載するようなコネクタの内側本体及び第２コネクタの断面図を示す。コネクタの内側本体の封止部材も示す。
【図２２Ａ】本明細書に記載するようなコネクタの内側本体の代替実施形態及び第２コネクタ実施形態の断面図を示す。コネクタの内側本体の封止部材も示す。
【図２３】代替保持機構を示す。
【図２４Ａ−Ｄ】内側本体と外側本体との間の封止機構及び保持機構の変形形態を示す。
【図２５】電気サブアセンブリを示す。
【図２６】カバーが取り除かれている、図１Ｂのコネクタの構成要素を示す斜視図である。
【図２７】フローセラピー装置を示す。
【図２８】代替的な内側本体実施形態の側面図を示す。
【図２９】代替的な内側本体実施形態の側面図を示す。
【図２９Ａ】代替的な内側本体実施形態の斜視図を示す。
【図２９Ｂ】代替的な内側本体実施形態の正面図を示す。
【図２９Ｃ】代替的な内側本体実施形態の側面図を示す。
【図２９Ｄ】代替的な内側本体実施形態例の側面図を示す。
【図２９Ｅ】代替的な内側本体実施形態例の斜視図を示す。
【図２９Ｆ】代替的な内側本体実施形態例の側面図を示す。
【図２９Ｇ】代替的な内側本体実施形態例の斜視図を示す。
【図３０】本明細書に記載するようなコネクタの外側本体の代替実施形態の斜視図を示す。
【図３１】本明細書に記載するようなコネクタの外側本体の代替実施形態の斜視図を示す。
【図３１Ａ】本明細書に記載するようなコネクタの外側本体の代替実施形態の斜視図を示す。
【図３１Ｂ】本明細書に記載するようなコネクタの外側本体の代替実施形態の底面図を示す。カバー（図１Ｂに示すカバー等）と電気サブアセンブリ（図２及び図２５に示す電気サブアセンブリ等）も示す。
【図３１Ｃ】本明細書に記載するようなコネクタの外側本体の代替実施形態の正面図を示す。導管及び電気サブアセンブリも示す。
【図３１Ｄ】本明細書に記載するようなコネクタの外側本体の代替実施形態の側面図を示す。導管及び電気サブアセンブリも示す。
【図３１Ｅ】本明細書に記載するようなコネクタの外側本体の代替実施形態の斜視図を示す。導管及び電気サブアセンブリも示す。
【発明を実施するための形態】
【０１９２】
図１にフローセラピー装置１０を示す。全体的に、装置１０は、モータ／インペラ構成の形態である流れ発生器１１と、任意選択的な加湿器１２と、コントローラ１３と、（例えば、ディスプレイと、ボタン、タッチスクリーン等の入力デバイスとを含む）ユーザＩ／Ｏインタフェース１４とを収容する主ハウジング１０００を含む。コントローラ１３は、患者に送達するガスの流れ（ガス流）を生成するように流れ発生器１１を動作させることと、発生したガス流を加湿及び／又は加熱するように加湿器１２（存在する場合）を動作させることと、装置１０の再構成及び／又はユーザが定義した動作に対してユーザＩ／Ｏインタフェース１４からユーザ入力を受け取ることと、ユーザに情報を（例えば、ディスプレイにおいて）出力することと等、装置の構成要素を制御するように構成又はプログラムされる。ユーザは、患者、医療従事者又は本装置を使用することに関心がある他者であり得る。
【０１９３】
患者呼吸導管３００は、フローセラピー装置１０のハウジング１０００におけるガス流出口３４４に結合され、且つマニホールド１９及び鼻プロング１８を含む鼻カニューレ等の患者インタフェース１７に結合される。さらに又は代わりに、患者呼吸導管１６は、フェイスマスクに結合することができる。さらに又は代わりに、患者呼吸導管は、鼻ピローマスク、及び／若しくは鼻マスク、及び／若しくは気管切開インタフェース又は他の任意の好適なタイプの患者インタフェースに結合することができる。フローセラピー装置１０によって発生する、加湿される場合があるガス流は、患者呼吸導管１６を介してカニューレ１７を通して患者に送達される。患者呼吸導管１６は、患者に向かって通過するガス流を加熱するヒータワイヤ１６ａを有することができる。ヒータワイヤ１６ａは、コントローラ１３によって制御される。患者呼吸導管１６及び／又は患者インタフェース１７は、フローセラピー装置１０の一部であるか又は代わりにその周辺装置とみなすことができる。フローセラピー装置１０、呼吸導管１６及び患者インタフェース１７は、ともにフローセラピーシステムを形成する。
【０１９４】
フローセラピー呼吸装置１０の全体的な動作は、当業者に既知となり、本明細書で詳細に説明する必要はない。しかしながら、全体的に、コントローラ１３は、所望の流量のガス流を発生させるように流れ発生器１１を制御し、空気及び酸素又は他の代替ガスの混合を制御するように１つ又は複数の弁を制御し、存在する場合、ガス流を加湿し、且つ／又はガス流を適切なレベルまで加熱するように加湿器１２を制御する。ガス流は、患者呼吸導管１６及びカニューレ１７を通して患者に向けられる。コントローラ１３は、所望の治療レベル及び／又は患者にとっての快適さを達成する所望の温度までガスを加熱するように、加湿器１２の加熱素子及び／又は患者呼吸導管１６の加熱素子１６ａも制御することができる。コントローラ１３をガス流の好適な目標温度でプログラムすることができるか、又はコントローラ１３がガス流の好適な目標温度を決定することができる。
【０１９５】
フローセラピー装置１０、及び／又は患者呼吸導管１６、及び／又はカニューレ１７における様々な場所に流量センサ、温度センサ、湿度センサ及び／又は圧力センサ等の動作センサ３ａ、３ｂ、３ｃ、２０、２５を配置することができる。センサからの出力は、コントローラ１３によって受信されて、コントローラ１３が最適な療法を提供するようにフローセラピー装置１０を動作させることに役立つことができる。いくつかの構成では、最適な療法を提供することは、患者の吸気要求を満たすことを含む。装置１０は、コントローラ１３が、センサから信号を受信し（８）、且つ／又は限定されないが、流れ発生器１１、加湿器１２及びヒータワイヤ１６ａ若しくはフローセラピー装置１０に関連する付属装置若しくは周辺装置を含む、フローセラピー装置１０の様々な構成要素を制御することを可能にする送信器及び／又は受信器１５を有することができる。さらに又は代わりに、送信器及び／又は受信器１５は、リモートサーバにデータを送出するか、又は装置１０のリモート制御を可能にすることができる。
【０１９６】
フローセラピー装置１０は、ハイフローセラピー装置を含むことができる。本明細書で用いる場合の「ハイフロー」セラピーは、患者のピーク吸気要求量を満たすか又は超える比較的高流量での患者の気道へのガスの投与を指す。「ハイフロー」を達成するために使用される流量は、後に列挙する流量の任意のものであり得る。フローセラピー装置１０は、任意の好適なタイプの装置であり得るが、いくつかの構成では、呼吸を補助し、且つ／又は呼吸障害を治療するために（例えば、空気、酸素、他のガス混合物又はそれらの何らかの組合せの）高ガス流量又はハイフローセラピーを送達することができる。いくつかの構成では、ガスは、酸素であるか又は酸素を含む。いくつかの構成では、ガスは、酸素及び周囲空気の混合物を含む。本開示で用いる場合の「ハイフローセラピー」は、約１０リットル／分（１０ＬＰＭ）以上の流量で成人患者への又は約１リットル／分（１ＬＰＭ）以上の流量で新生児、幼児若しくは小児患者へのガスの送達を指すことができる。いくつかの構成では、成人患者の場合、「ハイフローセラピー」は、約１０リットル／分（１０ＬＰＭ）〜約１００ＬＰＭ、又は約１５ＬＰＭ〜約９５ＬＰＭ、又は約２０ＬＰＭ〜約９０ＬＰＭ、又は約２５ＬＰＭ〜約８５ＬＰＭ、又は約３０ＬＰＭ〜約８０ＬＰＭ、又は約３５ＬＰＭ〜約７５ＬＰＭ、又は約４０ＬＰＭ〜約７０ＬＰＭ、又は約４５ＬＰＭ〜約６５ＬＰＭ、又は約５０ＬＰＭ〜約６０ＬＰＭ等、約１０ＬＰＭ以上の流量での患者へのガスの送達を指すことができる。いくつかの構成では、新生児、幼児又は小児患者の場合、「ハイフローセラピー」は、約１ＬＰＭ〜約２５ＬＰＭ、又は約２ＬＰＭ〜約２５ＬＰＭ、又は約２ＬＰＭ〜約５ＬＰＭ、又は約５ＬＰＭ〜約２５ＬＰＭ、又は約５ＬＰＭ〜約１０ＬＰＭ、又は約１０ＬＰＭ〜約２５ＬＰＭ、又は約１０ＬＰＭ〜約２０ＬＰＭ、又は約１０ＬＰＭ〜１５ＬＰＭ、又は約２０ＬＰＭ〜約２５ＬＰＭの流量での患者へのガスの送達を指すことができる。したがって、成人患者又は新生児、幼児若しくは小児患者のいずれかで使用されるハイフローセラピー装置は、約１ＬＰＭ〜約１００ＬＰＭの流量又は上に概説した部分範囲の任意の流量で患者にガスを送達することができる。送達されるガスは、あるパーセンテージの酸素を含むことができる。いくつかの構成では、送達されるガスにおける酸素のパーセンテージは、約２０％〜約１００％、又は約３０％〜約１００％、又は約４０％〜約１００％、又は約５０％〜約１００％、又は約６０％〜約１００％、又は約７０％〜約１００％、又は約８０％〜約１００％、又は約９０％〜約１００％、又は約１００％、又は１００％であり得る。ハイフローセラピーは、患者の酸素化を増大させ、且つ／又は呼吸仕事量を低減させて、患者の吸気要求量を満たすか又は超えるのに有効であることが分かった。さらに、ハイフローセラピーは、上気道の解剖学的死腔が、入ってくる高流量のガス流でフラッシングされるように、鼻咽頭においてフラッシング効果を発生させることができる。これにより、二酸化炭素、窒素等の再吸入を最小限にしながら、毎回の呼吸の利用可能な新鮮なガスの貯蔵部が形成される。
【０１９７】
患者インタフェースは、圧損傷（大気に対する圧力の差に起因する肺又は呼吸器系の他の器官に対する組織損傷）を防止する非封止インタフェースであり得る。患者インタフェースは、マニホールド及び鼻プロングを備えた鼻カニューレ、及び／若しくはフェイスマスク、及び／若しくは鼻ピローマスク、及び／若しくは鼻マスク、及び／若しくは気管切開インタフェース又は他の任意の好適なタイプの患者インタフェースであり得る。
【０１９８】
図２７に示すように、１つの実施形態例では、フローセラピー装置１０は、例えば、１０００によって示すもの等、主ハウジングを含むことができる。こうした主ハウジング１０００は、主ハウジング上部シャシ１０２及び主ハウジング下部シャシ１０３を有することができる。
【０１９９】
主ハウジング上部シャシ１０２は、周壁構成を有する。周壁構成は、取外し可能液体チャンバ３０００を受け入れる加湿器又は液体チャンバベイを画定する。取外し可能液体チャンバ３０００は、患者に送達されるガスを加湿するための水等、好適な液体を収容する。
【０２００】
取外し可能液体チャンバ３０００は、液体リザーバを画定する外側ハウジングと、液体リザーバと流体連通する液体チャンバガス入口ポート３０６と、液体リザーバと流体連通する液体チャンバガス出口ポート３０８とを含む。液体リザーバの内部において、液体チャンバ３０００を通るガスの流路を画定するようにバッフルを提供することができる。液体チャンバ３０００の下縁部は、液体チャンバ３０００を液体チャンバベイに配置及び保持するために、液体チャンバベイのガイドレールと相互作用する外側に向けられた環状フランジを含む。フランジは、液体チャンバ３０００の周壁の基部から外向きに延在する。液体チャンバ３０００の底壁は、熱伝導性であり、液体チャンバ３０００内の液体を加熱するヒータプレートの上に載るように適合される。
【０２０１】
装置１０は、液体チャンバ３０００を装置１０に流体結合する接続マニホールド構成を含む。液体チャンバ３０００は、ハウジング１０００の背面に向かう方向においてハウジング１０００の正面の位置から、液体チャンバベイ内への液体チャンバ３０００の後方方向における直線摺動で装置１０に流体的に結合することができる。接続マニホールド構成は、固定されたＬ字型エルボを介してモータ及び／又はセンサモジュールからのガス流通路と流体連通するマニホールドガス出口ポートを含む。固定されたＬ字型エルボは、モータ及び／又はセンサモジュールのブロワの出口からガスを受け取り、液体チャンバベイ３０００の入口ポート３０６に接続する。エルボの下方部分は、ガス流通路チューブの内部に下向きに延在して、モータ及び／又はセンサモジュールからガスを受け取る。
【０２０２】
接続マニホールド構成は、取外し可能エルボ３４２に組み入れられている加湿ガス戻りポートをさらに含む。取外し可能エルボ３４２は、Ｌ字型であり、患者インタフェースにガスを送達するように患者呼吸導管に結合する患者出口ポート３４４をさらに含む。出口ポート３４４は、装置１０の正面に向かって且つハウジング１０００の上面において画面１２４の正面に配置される。画面１２４は、装置１０の背面に向かって配置される。マニホールドガス出口ポート、マニホールドガス入口ポート及び患者出口ポート３４４は、装置１０と、液体チャンバ３０００と、患者呼吸導管との間の封止ガス通路を提供するように、Ｏリングシール又はＴシール（図示せず）等の軟質シールをそれぞれ含む。
【０２０３】
液体チャンバガス入口ポート３０６は、接続マニホールドガス出口ポートと相補的であり、液体チャンバガス出口ポート３０８は、接続マニホールドガス入口ポートと相補的である。それらのポートの軸は、好ましくは、液体チャンバ３０００が液体チャンバベイ内に直線移動で挿入され得るように平行である。
【０２０４】
装置１０は、モータが空気、酸素又はそれらの好適な混合物を液体チャンバ３０００に、それにより患者に送達することができるように、モータと流体連通する空気及び酸素（又は代替補助ガス）入口を有する。
【０２０５】
全体的な説明
図１Ｂ〜図２２を参照すると、医療用呼吸回路の構成要素のためのコネクタ１００が示されている。コネクタ１００は、導管３００の末端部に提供されるように構成される。特に、コネクタ１００は、導管３００の端部と回路の別のデバイスとの解除可能であるが、確実な接続のために医療用呼吸回路の一部を形成する。他のデバイスは、加湿器、流れ発生器又は別の導管であり得る。他のデバイスが加湿器又は流れ発生器である場合、例えば、他のデバイスは、加湿器又は流れ発生器の出口であり得る。以下の説明では、他のデバイスは、第２コネクタ８００と称する。
【０２０６】
コネクタ１００は、内側本体２００及び外側本体４００を有する。内側本体２００及び外側本体４００は、ガス通路を画定する。１つの実施形態では、コネクタ１００は、導管又はチューブ３００を第２コネクタ８００に接続するために使用される。組み立てられると、コネクタのガス通路は、導管３００及び第２コネクタの各々と流体連通し、それにより、ガスは、第２コネクタからコネクタを通して導管３００まで流れることができる。
【０２０７】
内側本体２００と外側本体４００とは、別個の構成要素である。内側本体２００は、第２コネクタと係合するように構成された保持機構を有し、これについては、より詳細に後述する。
【０２０８】
外側本体４００は、内側本体２００を少なくとも部分的に包囲するように構成される。合わせて組み立てられると、外側本体４００は、内側本体２００の正面及び背面の大部分を覆う。外側本体４００は、切取部を有し、それを通して内側本体の一部が延在する。内側本体２００は、その末端部で外側本体４００からもわずかに延出する。末端部は、内側本体の残りの部分より大きい直径を有する。
【０２０９】
外側本体４００は、チューブ係合機構を有する。チューブ係合機構は、コネクタ１００及びチューブ３００を互いに接続する。
【０２１０】
内側本体２００は、第２コネクタ８００と封止するように構成された封止機構を有する。コネクタは、内側本体２００及び外側本体４００を封止するように構成された封止機構も有する。内側本体２００と第２コネクタ８００との間の封止機構及び内側本体２００と外側本体４００との間の封止機構は、導管３００から第２コネクタ８００への封止された通路を提供し、そこで、ガス流は、周囲環境に漏れることが防止されるか又は少なくとも実質的に阻止される。
【０２１１】
コネクタ１００は、内側本体２００及び外側本体４００をともに保持するように構成された別個の保持機構を有する。
【０２１２】
図示する実施形態では、内側本体２００は、一部品として形成された単体構成要素である。特に、内側本体２００は、第１材料を含む。いくつかの実施形態では、内側本体２００の一部は、第１材料を含み、及び他の部分は、異なる材料を含むことができる。例えば、内側本体２００の保持機構は、屈曲領域を含む。いくつかの実施形態では、屈曲領域は、第１材料を含むことができ、及び内側本体２００の他の部分は、異なる材料を含むことができる。
【０２１３】
外側本体４００のチューブ係合機構は、第２材料を含む。いくつかの実施形態では、第１材料は、第２材料よりも堅い。すなわち、第１材料は、第２材料よりも高い弾性率及び／又は曲げ弾性率を有する。第１材料は、さらに又は代わりに、第２材料よりも高い曲げ弾性率を有することができる。
【０２１４】
保持機構は、屈曲領域を中心に内側本体２００に対して移動可能であるレバーを含む。レバーは、屈曲領域の一方の側における保持部分２０３Ｂと、屈曲領域の他方の側における作動部分２０３Ａとを有する。レバーは、内側本体に対して枢動可能であることにより移動可能であり得る。代わりに、レバーは、内側本体に対してヒンジ式に移動することにより移動可能であり得る。
【０２１５】
図７〜図１３に示すように、保持機構は、２つのレバーを含む。保持機構（レバー）は、外側本体４００の外側に位置する。
【０２１６】
係合解除形態における２つのレバーの保持部分２０３Ｂ間の距離は、係合形態におけるその距離と同じであるか又はそれよりも小さい。係合解除形態における２つのレバーの保持部分２０３Ｂ間の距離は、係合形態におけるその距離と同じである。
【０２１７】
外側本体４００は、内側本体２００の一部が外側本体４００内に位置し、及び内側本体２００の一部が外側本体の外側に位置することを可能にする切取部を有する。
【０２１８】
屈曲領域は、ブリッジ２０５によって提供される。ブリッジ２０５は、ブリッジ２０５を切取部と位置合せする特徴部を有する。図７に示すように、この特徴部は、位置合せボス２０９である。
【０２１９】
いくつかの実施形態では、その又は各レバーの保持部分２０３Ｂは、第１材料を含む。いくつかの実施形態では、その又は各レバーの作動部分２０３Ａは、第１材料を含む。いくつかの実施形態では、保持機構全体が第１材料を含む。いくつかの実施形態では、内側本体２００全体が第１材料を含む。第１材料は、ポリオキシメチレン（ＰＯＭ）を含むことができ、ＰＯＭは、アセタール又はアセタールコポリマーとしても知られる。代替実施形態では、第１材料は、ガラス充填ナイロンを含むナイロン又はアクリロニトリルブタジエンスチレン（ＡＢＳ）を含むことができる。
【０２２０】
いくつかの実施形態では、第２材料は、ポリオレフィンを含む。いくつかの実施形態では、第２材料は、ポリプロピレン又は高密度ポリエチレンを含む。
【０２２１】
内側本体
ここで、内側本体２００の詳細について説明する。上述したように、内側本体２００は、ガスが第２コネクタ８００とチューブ３００との間を流れるためのガス経路を有する。ガス経路は、末端部に向かって外向きにテーパ状である内壁によって画定される。
【０２２２】
内側本体２００は、第２コネクタ８００の内部通路内に少なくとも部分的に位置するように構成される。上述したように、内側本体２００は、第２コネクタ８００の内部通路内に挿入される。第２コネクタ８００内に挿入されるコネクタを有することは、種々の理由で有利であり、その理由の１つは、流路が流れの方向において狭くなることである。流路が狭くなることにより、停滞領域においてデッドスペースを発生させる可能性が低減する。停滞領域には、霧状薬剤がたまる領域を提供する等の種々の不都合がある。
【０２２３】
内側本体２００は、導管２０１と、ワイパシール２０２の形態の封止機構と、１つ又は複数のレバー２０３の形態の保持機構とを有する。
【０２２４】
コネクタ１００は、内側本体２００と第２コネクタ８００との間に封止及び保持機構を有する。導管２０１の外面は、第２コネクタ８００の内面と相補的な形状であり、２つの面が気密シールを形成するようにする。気密シールは、一部には、封止要素によって容易にすることができる。封止要素は、経時的に摩滅を受けやすい可能性があり、定期的な交換を必要とする可能性がある。好ましい実施形態は、シールが導管２０１上のいずれかの場所に位置するというものであり、なぜなら、これは、シールが、導管３００が交換されるまで持てばよいことを意味するためである。
【０２２５】
いくつかの実施形態では、封止機構は、封止部材を含む。１つの実施形態は、導管２０１の周囲の周りにシールを有する。図示する実施形態では、封止部材は、ワイパシールであるか又はワイパシールを含む。ワイパシールは、図面に示す形状を有することができる。代替実施形態では、ワイパシールは、Ｔ字型又はＣ字型断面等、異なる断面輪郭を有することができる。他の実施形態では、２つ以上のワイパシールがあり得る。さらに又は代わりに、封止部材は、Ｏリング又は他の任意の好適なシールであるか又はそれを含み得る。ワイパシールは、２つの構成要素の容易な軸方向移動を提供する。内側本体２００は、封止部材を受け入れるための凹部を有する。凹部壁は、内側部材２００に対するシールの軸方向の移動を防止するか又は少なくとも実質的に阻止する。この凹部は、凹部の縁部の肩部によってさらに強化することができる。封止部材は、静止時外径を有し、封止部材の静止時外径は、コネクタが接続する部分の内径よりも大きい。すなわち、封止部材の静止時外径は、第２コネクタ８００のガス通路の内径よりも大きい。ワイパシールは、第２コネクタ８００の内面と接触することによって撓む。これにより、ワイパシールと第２コネクタ８００の内壁との間において、漏れの可能性を低下させる力が提供される。さらに、ワイパシールの外径が第２コネクタ８００の内壁の直径よりも大きいことにより、２つの構成要素がわずかに位置ずれしている場合、例えば半径方向に位置ずれしている場合でも完全な気密シールが確保される。
【０２２６】
代わりに、シールは、１つ又は複数のＯリングによって提供することができる。代わりに、上述した封止要素の任意のものを第２コネクタ８００の内面で実施することができるが、これは、チューブ及びコネクタが取り替えられるときにシールが交換されないことを意味する。代わりに、シールは、内側本体２００と第２コネクタ８００との締り嵌めによって提供することができる。締り嵌めは、テーパ嵌合であり得る。いくつかの実施形態では、シールは、Ｏリング又はワイパシール等、内側本体２００及び／又はシール部材の１つの部分における締り嵌めによって提供することができる。例えば、内側本体２００の端部を、第２コネクタ８００の内壁と封止接触するように外向きにフレア状にすることができる。
【０２２７】
シールは、デバイス及びコネクタの電気コネクタが係合する前に第２コネクタ８００と封止係合するように内側本体２００に位置決めされる。これにより、（酸素で富化されている可能性がある）ガス流は、いかなる電気接続部も作成される前に電気コネクタから気密封止されることになる。さらに、この構成により、ユーザが、電気接続部が形成されるが、ガス流路が封止されないようにコネクタ１００をデバイスと組み立てることが防止される。これは、酸素リッチガスが電気接続部内に漏れ得ることが安全性リスクになる可能性があるため、特に望ましい。
【０２２８】
内側本体２００は、内側本体２００の周囲にシールを配置することに役立つ組立ガイド２００Ｂの組を有することができる。組立ガイド２００Ｂは、内側本体２００の末端部から封止部材２０２に向かって延在する。コネクタ１００を組み立てるとき、シールは、内側本体２００の基部の上を摺動することができるように工具によって引き伸ばされる。シールが凹状部分と位置合せされると、工具により、シールは、収縮して凹状部分に入ることができる。この時点で組立ガイドと位置合せされる工具を引き抜くことができ、シールは、肩部の上に引っ掛かり、それにより所望の位置に残される。
【０２２９】
内側本体２００は、第２コネクタ８００内に内側本体２００を正確に配置するためのスペーサを有することができる。スペーサは、１つの又は一連の外向きに延在する突起２１５の形態で提供することができる。突起２１５は、内側本体２００の外面の周囲の周りに位置する垂直リブの形態であり得る。リブ２１５は、内側本体２００と第２コネクタ８００との間に密な及び／又は隙間のない嵌合を提供するように、実質的に第２コネクタ８００の内面の直径と相補的であり、直径に対応し、且つ／又は直径に一致するような寸法である。例えば、リブ２１５と第２コネクタとの間に約０．０５ｍｍの空間があり得る。
【０２３０】
リブ２１５は、内側本体２００の一部を第２コネクタ８００の通路壁から離れるように位置決めし、内側本体２００と通路壁との間の空間を画定するように構成される。リブ２１５は、内側本体２００と第２コネクタ８００との同心位置合せを確実にする。リブは、第２コネクタ８００内での内側本体２００の半径方向移動を防止する。これにより、内側本体２００が第２コネクタ８００の内面から意図された距離に位置決めされることが確実になり、それにより内側本体２００と第２コネクタ８００との間に気密シールが形成されることが確実になる。リブは、内側本体の長手方向軸に対して概して平行である方向に延在する。いくつかの実施形態では、リブの１つ又は複数は、角度を付けられた、テーパ状の、丸みを帯びた又は他の輪郭が付けられた端部２００Ｃを有する。各リブは、第２コネクタ２００の通路内で内側本体２００を誘導する位置合せガイドとして作用するように、角度を付けられた又はテーパ状の端部を有する。
【０２３１】
内側本体の末端部における角度を付けられた又はテーパ状の面２００Ａは、第２コネクタ８００内で内側本体２００を位置決めすることにも役立つ。それらの面は、第２コネクタ８００に対する内側本体２００の半径方向移動も防止する。これらの角度を付けられた又はテーパ状の面２００Ａは、コネクタを第２コネクタ８００と位置合せすることにも役立つことができる。リブ２１５及び／又は面２００Ａは、内側本体２００と第２コネクタ８００との間の最適な封止を確実にすることに役立つ。他の実施形態では、スペーサは、内側本体２００の外面の周囲に配置された単一の環状突出部（図示せず）の形態であり得る。
【０２３２】
図２９Ｃに示すような代替実施形態では、リブ２１５の１つ又は複数は、他のリブと非対称であり得る。すなわち、すべてのリブが同じ形態及び形状ではない可能性がある。リブ２１５は、好適な位置合せが達成されことに役立つように、引込み型特徴部又は低減したテーパ若しくは他の角度を付けられた半径部若しくは面取り部を含むことができる。
【０２３３】
垂直リブの角度を付けられた又はテーパ状の端部２００Ｃは、接続されるとき、リブが第２コネクタ８００の末端部に引っ掛かることを防止するか又は少なくとも実質的に阻止する。図７〜図１３に示す実施形態では、本体の周囲の周りに等しく離間される４つのリブ２１５があり、それによりリブ２１５及び内側本体２００上の他の特徴部間の対称性が与えられる。代替実施形態では、少なくとも３つのリブ、例えば５つ、６つ又は７つのリブがあり得る。
【０２３４】
封止部材は、末端部２１７からある距離において離間される。封止部材２０２は、突起２１５と内側本体２００の末端部２１７との間に位置する。封止部材２０２は、内側本体２００と通路壁との間の空間を通るガス流を少なくとも実質的に阻止するように、第２コネクタ８００の通路壁に対して封止するように構成される。内側本体２００は、封止部材と末端部２１７との間に肩部２１９を有する。このコネクタ実施形態では、末端部２１７から肩部２１９まで延在する複数の組立リブ２２０が組み込まれる。これらの組立リブは、封止部材２０２の取付に関する組立プロセスに有利に役立つことができる。
【０２３５】
内側本体２００は、末端部２１７に向かって外向きにテーパ状である壁を有する。壁は、内面及び外面を有する。末端部２１７における内壁の直径は、内壁の残りの部分の直径よりも大きい。末端部２１７における外壁の直径は、外壁の残りの部分の直径よりも大きい。末端部の内壁は、第２コネクタ８００端部の内壁とより平滑な／連続した輪郭を形成して、流れに対する抵抗及びデッドスペースを低減させる。
【０２３６】
以下でより詳細に説明するように、各ブリッジ２０５の各側部において、内側本体２００を外側本体と位置合せすることに役立つ位置合せ特徴部２０９が位置する。図７〜図１３に示す実施形態では、位置合せ特徴部２０９は、ボスである。代替実施形態では、それより多いか又は少ない位置合せ特徴部があり得る。例えば、１つ、２つ、３つ、５つ、６つ又はそれより多くの位置合せ特徴部があり得る。位置合せ特徴部は、半球形状であり得るか、又は立方体、直方体、角錐等、別の好適な形状を有することができる。それらの形状は、位置合せ特性を強化するためにテーパを有することができる。
【０２３７】
図４に示すように、内側本体２００の末端部は、コネクタ４００の他の構成要素（保持機構、外側本体４００及びカバー７００等）の末端部を越えて延在する。これにより、末端部２１７は、第２コネクタ８００と係合し、他の構成要素が第２コネクタ８００と接触する前にコネクタを正確に位置合せする。コネクタ１００は、内側本体の末端部に位置合せ又は引込み特徴部も含むことができる。内側本体２００の末端部が第２コネクタ８００内により容易に嵌まり込み、その後、２つの構成要素が完全に接続される際に移動して位置合せされるように、位置合せ特徴部は、外壁の内向きテーパ状セクションであり得る。
【０２３８】
内側本体２００の下方部分２００Ａは、第２コネクタ８００の内面の直径とおよそ一致する直径の内面を有する。これにより、内側本体２００の内面と第２コネクタ８００との間に実質的に平滑な且つ／又は連続した輪郭がもたらされ、これにより２つの構成要素間のガス流路における乱流が低減する。さらに、それにより、特にガス流が霧状薬剤を含有する場合、霧状薬剤の一部が凝縮し、且つ／又はデッドスペース内にたまる可能性があるために望ましくない、あり得るデッドスペースが低減する。
【０２３９】
したがって、内側本体２００の内面は、下端部における直径からより狭い直径までテーパ状である。内径が小さくなることにより、より乱流の少ない輪郭が提供される。しかしながら、それにより、内側本体２００の外面に様々な表面特徴部に対する空間も可能となり、これについて本明細書に記載する。
【０２４０】
本体は、別のコネクタの内部通路内に少なくとも部分的に位置するように構成され、突起は、内側本体２００の一部を第２コネクタ８００の通路壁から離れるように位置決めし、且つ内側本体２００と通路壁との間に空間を画定するように構成され、封止部材は、内側本体と通路壁との間の空間を通るガス流を少なくとも実質的に阻止するように、第２コネクタ８００の通路壁に対して封止するように構成される。
【０２４１】
１つの実施形態では、内側本体は、チューブから独立しているか又はチューブ接続特徴部がない別個の構成要素として提供される。１つの実施形態では、内側本体は、チューブ接続特徴部を含まない。
【０２４２】
保持機構
第２コネクタ８００と組み立てられたときにコネクタ１００を保持するために、コネクタ１００は、保持機構を有する。図７〜図１３及び図２２を参照すると、保持機構は、第２コネクタ８００の１つ又は複数の凹部と係合する突起２０７を有する。これらの突起２０７は、ブリッジ２０５を介して内側部材に接続するレバー２０３の対の端部又はその近くに位置する。突起２０７は、レバー２０３の下方部分に位置し、レバー２０３の上方部分は、ブリッジ２０５を越えて延在して作動タブの対を形成する。作動タブを内向きに押すことにより、ブリッジが屈曲し、突起２０７が外向きに移動する。
【０２４３】
レバー２０３、ブリッジ２０５及び内側部材は、外側本体の材料と比較してより高い降伏強度並びにより高い弾性（ヤング）率及び／又は曲げ弾性率を有する材料（アセタール等）から成形することができ、レバー２０３は、適切な保持力も提供しながら、塑性変形、降伏及び／又は破壊なしに好適な距離を移動することができる。
【０２４４】
レバー２０３に力が加えられていないとき、レバー２０３は、２つの突起間が第１距離にある状態で第１静止時位置まで弛緩する。突起２０７が第２コネクタ８００の凹部８０７と係合した状態で第２コネクタ８００に接続されると、レバー２０３は、突起間が第２距離にある状態で第２位置にある。好ましくは、第１距離は、第２距離と同じであるか又はそれより小さい。これは、突起２０７が、凹部と、それらを適所に保持するために追加の力を必要とすることなく係合することを意味する。コネクタとの係合中に突起２０７をともに押し込むことが不要であることにより、使用中のコネクタに対する応力が低下し、材料クリープ速度が低下する。さらに、弛緩位置で突起２０７が凹部と係合するが、凹部の基部と接触しないようにレバー２０３を設計することが有利であり得る。これにより、レバー２０３は、係合したときに弛緩位置にあることができ、材料に対するクリープの影響がさらに低減する。
【０２４５】
コネクタ１００が第２コネクタ８００と係合するとき、レバー２０３上の突起２０７は、第２コネクタ８００の基部の凹部８０３と係合する。図示する実施形態では、凹部８０３及び突起２０７の係合面は、導管を除去するために必要な移動の方向に対して実質的に垂直であり、突起２０７が係合すると、コネクタ１００及び導管３００は、大きい力によっても第２コネクタ８００から引き離すことができない。
【０２４６】
図２３に示す代替実施形態では、突起は、第２コネクタ８００の周囲又は凹部８０３の輪郭と相補的である湾曲輪郭を有することができる。コネクタが出口端部に接続されるか又は出口端部から取り除かれるときに凹部８０３の一部の損傷及び／又は意図されない係合を防止するように、湾曲輪郭の縁部は丸みがあり得る。
【０２４７】
上に概説したように、凹部８０３及び突起の係合力は、移動の方向に対して実質的に垂直であり得る。図２２Ａに示すように、角度αは、代替実施形態を示す。角度αは、内側本体２００の垂直中心線及び突起２０７の角度に対して測定される。この角度は、（本明細書に記載するようなレバー２０３を介して作動タブを内向きに押下する等）ユーザによるレバー２０３の対応する作動／圧縮なしに、（内側本体２００の中心線に沿って示される方向である）移動の方向に沿った又は実質的に平行な力が加えられるとき、第２コネクタ８００からのコネクタ１００の意図しない分離を防止することに役立つことができる。
【０２４８】
角度αは、約８５°〜約１１５°、より好ましくは約９０°〜約１１０°、又は好ましくは約９３°〜約１０２°、又は好ましくは約９５°〜約９９°であり得る。
【０２４９】
第２コネクタ８００からコネクタ１００を分離するために、作動タブは、突起２０７が外向きに移動して凹部８０７から係合解除されるのに十分な程度に内向きに移動する。突起２０７が凹部８０７から係合解除されると、コネクタを最小の抵抗で取り除くことができる。
【０２５０】
第２コネクタ８００にコネクタ１００を接続するために、突起２０７を外向きに移動させるように作動タブを内向きに押して、それらが第２コネクタ８００の末端部の外縁部を越えることができるようにすることができる。好ましくは、突起２０７の下面は、テーパの形態の位置合せ又は引込み特徴部を含むことができ、コネクタを第２コネクタ８００に押し付けると、突起２０７の下面と第２コネクタ８００の末端部との間の接触により、突起２０７が外向きに押し出される。これにより、デバイスに導管３００を１つの動きで取り付けることができるように、コネクタを接続するときに作動タブを押下する必要をなくすことができる。
【０２５１】
突起２０７が第２コネクタ８００の末端部を越えると、その後、突起２０７が凹部と係合するまで、コネクタをさらに押し下げることができる。凹部８０７と係合している突起２０７は、ユーザにコネクタが係合していることを示す可聴又は触覚指標を生成することができる。
【０２５２】
図１０を参照すると、レバー２０３は、ブリッジ２０５から突起まで内向きにわずかな湾曲を有する。わずかな湾曲により、レバー２０３の基部における突起２０７は、第２コネクタ８００の凹部８０７と係合する方向に付勢される。図１１は、突起端部におけるレバー２０３の幅がブリッジ２０５端部におけるレバー２０３の幅よりも小さいように、レバー２０３がブリッジ２０５と突起との間でテーパ状であることを示す。レバーの厚さもその長さに沿って変化し、例えば保持端部と比較してブリッジ近くの方が厚い。このテーパにより、フィンガの末端部は、屈曲部分よりも容易に曲がる。テーパにより、ブリッジの下方の部分は、より均一な応力分布で曲がることができる。
【０２５３】
作動タブの内面は、１つ又は複数の支持リブを有することができる。このリブにより、タブ自体が押下されたときに屈曲することが防止されるように、タブの剛性が増大する。タブが屈曲した場合、突起において対応する移動をもたらすことなく、作動タブに対して大きい力がかかる可能性がある。タブに剛性を持たせることにより、タブにおけるいかなる移動もフィンガを通してフィンガ及び突起の下方部分に伝達される。タブは、外側本体４００及び／又は中間シェル６００と接触することにより、タブ自体の移動を制限するさらなる機能も有する。すなわち、外側本体４００の壁は、止め具として作用する。移動の量は、突起を作動させるために必要な移動の量に制限され、それにより構成要素に損傷を与える可能性がある過度な曲げを防止する。
【０２５４】
外側本体
図１４〜図２０を参照すると、外側本体４００は、内側本体２００を部分的に包囲する。図２〜図５に内側本体２００と外側本体４００との相対的な位置及び向きを示す。外側本体４００及び内側本体２００は、単一部品から形成することができるが、２つの構成要素を別個に製造し、その後、合わせて組み立てることにより、別個の材料（例えば、内側本体２００に対してアセタール、外側本体に対してポリプロピレン）を使用することができる。これは、内側部材に望ましい機械的特性を有するいくつかの材料がオーバーモールドプロセスに好適ではない可能性があるために有益であり、これについては、より詳細に後述する。
【０２５５】
外側本体４００は、種々の目的にかない、そうした目的のいくつかを以下より詳細に記載する。これらとしては、以下を挙げることができる。
・導管３００がコネクタ１００に取り付けられることを可能にする接続特徴部を提供すること。
・導管３００及びデバイスが接続されるとき、コネクタ１００の末端部において、デバイス、例えば装置１０の上面と当接する面を提供すること。
・デバイスと導管との電気接続を容易にするために電気ピンのためのレセプタクルを提供すること。
・コネクタ１００に対してより均一な外面を形成すること。
【０２５６】
好ましい実施形態では、内側本体２００は、外側本体４００内にクリップ式に留まる。図に示すように、内側本体２００の外面の上方部分は、環状突起／フランジを有し、それは、好ましくは、内側本体２００の外周部全体に沿って延びる。外側本体４００は、対応する凹部を含む。コネクタを組み立てるとき、内側本体２００の突起が外側本体４００の凹部内にクリップ式に留まるように、内側本体２００及び本体は、互いに押し付けられる。これにより、突起と凹部との隙間のない締り嵌めによって保持力と気密シールとの両方が提供される。
【０２５７】
図２４Ａ〜図２４Ｂは、内側本体２００と外側本体４００との間の封止機構及び保持機構の変形形態を示す。図２４Ａ〜図２４Ｂは、内側本体２００と、外側本体４００と、内側本体２００及び外側本体４００をともに封止するように構成された内側本体及び外側本体封止機構と、内側本体２００及び外側本体４００をともに保持するように構成された内側本体及び外側本体保持機構とを示す。内側本体及び外側本体封止機構と内側本体及び外側本体保持機構とは、別個の機構である。
【０２５８】
内側本体及び外側本体保持機構は、実質的に永久的な構成で内側本体２００と外側本体４００とをともに保持する。内側本体２００及び外側本体４００は、組み立てられると容易に分離されない（例えば、１回限りの係合）。本明細書に記載する様々な内側本体及び外側本体保持機構は、内側本体２００及び外側本体４００が分離することを防止するか又は少なくとも実質的に阻止する。係合すると、内側本体２００及び外側本体４００は、容易に分離することができず、例えば、それらの構成要素は、手動で分離することができない。
【０２５９】
１つの実施形態では、内側本体及び外側本体封止機構は、内側本体２００及び外側本体４００をともに保持するようにさらに構成される。換言すれば、封止機構は、第２内側本体及び外側本体保持機構を含む。
【０２６０】
図２４Ａは、内側本体２００のテーパ状壁と、外側本体４００の相補的なテーパ状壁との締り嵌めの形態の内側本体及び外側本体封止機構を示す。内側本体２００は、末端部が内側本体の残りの部分よりも狭い外径を有するテーパ状外面を有する。
【０２６１】
図２４Ａは、内側本体の突起と、外側本体の対応する凹部との形態の内側本体及び外側本体保持機構も示す。突起は、丸みのある突起である。内側本体２００と外側本体４００のテーパ状壁との締り嵌めにより、内側本体２００及び外側本体４００をともにさらに保持することができる。
【０２６２】
図２４Ｂは、２つの突起と相補的凹部とを示す。突起は、ともに丸みがある。一方の突起は、他方の突起よりも大きい。突起のいずれも封止及び／又は保持機構として構成することができる。
【０２６３】
図２４Ｃは、内側本体及び外側本体保持機構が、かかり又は鋭利な突起の形態である突起を含むことを示す。内側本体及び外側本体保持機構は、相補的なくぼみ又はアパーチャを含むことができる。内側本体及び外側本体保持機構は、２つ以上のかかりを含むことができる。内側本体及び外側本体保持機構は、相補的なくぼみ又はアパーチャを含むことができる。
【０２６４】
図２４Ｄは、代替的な構成を示す。この実施形態は、実質的に丸みのある断面輪郭２２１ｆを有する環状突起と、角度を付けられた断面輪郭２２１ｇを有する別の環状突起とを備えた内側本体２００を示す。実質的に丸みのある環状突起２２１ｆは、保持機構として構成することができ、対応する外側本体４００の相補的な凹部４２１ｆ内に嵌まることができる。角度を付けられた環状突起２２１ｇは、封止機構として構成することができ、且つ／又は例えば干渉点４２１ｇにおいて外側本体４００の壁と締り嵌めであるように構成することができる。
【０２６５】
図２４Ｄにおいて、内側本体２００及び外側本体４００封止機構は、突起２２１ｇを含む。任意選択的に、封止機構は、環状封止突起である。環状封止突起２２１ｇは、角度を付けられた断面輪郭を含む。２２１ｇとして識別する環状封止突起は、内側本体２００の外面に提供され、例えば位置４２１ｇにおいて外側本体４００の内面と締り嵌め状態であるように構成される。
【０２６６】
図示する実施形態では、内側本体２００は、突起を含み、及び外側本体４００は、くぼみ又はアパーチャを含む。代替実施形態では、内側本体２００は、くぼみ又はアパーチャを含むことができ、及び外側本体４００は、突起を含むことができる。
【０２６７】
いくつかの実施形態では、相補的なくぼみ又はアパーチャは、１つ又は複数の壁によって画定され、及びその又は各かかりは、１つ又は複数の壁と当接することなく、相補的なくぼみ又はアパーチャ内に位置決めされる。
【０２６８】
内側本体及び外側本体保持機構突起の変形形態の各々は、環状突起である。相補的なくぼみ又はアパーチャは、環状くぼみ又はアパーチャである。代替実施形態では、くぼみ又はアパーチャは、環状くぼみ又はアパーチャであり、突起は、より短い長さを有することができ、例えば内側本体の外側の一部の周囲にのみ延在することができる。
【０２６９】
いくつかの実施形態では、環状封止突起及び環状保持突起は、異なる直径を有する。すなわち、環状保持突起は、環状封止突起よりも内側本体２００からさらに外向きに延在する。
【０２７０】
図２４Ｂ及び図２４Ｄは、異なる断面輪郭を有する突起を示す。いくつかの実施形態では、環状保持突起は、丸みのある断面輪郭を有する。他の実施形態では、環状保持突起は、角度を付けられた断面輪郭を有する。
【０２７１】
図２４Ａ〜図２４Ｄの実施形態であり、内側本体２００は、突起を含み、及び外側本体４００は、凹部を含む。代替実施形態では、内側本体２００は、凹部を含むことができ、及び外側本体４００は、突起を含むことができる。
【０２７２】
図２４Ａ〜図２４Ｄを参照すると、コネクタ１００は、内側本体２００及び外側本体４００をともに封止するように構成された内側本体及び外側本体封止機構を有する。コネクタ１００は、内側本体２００及び外側本体４００をともに保持するように構成された内側本体及び外側本体保持機構も有する。内側本体及び外側本体封止機構と内側本体及び外側本体保持機構とは、別個の機構である。
【０２７３】
内側本体及び外側本体封止機構は、内側本体２００の外面の封止突起と、外側本体の相補的な封止凹部とを含む。内側本体及び外側本体保持機構は、内側本体２００の外面の保持突起と、外側本体の相補的な保持凹部とを含む。内側本体２００の末端部２１７は、外側本体の端部を越えて延在する。内側本体２００の末端部２１７の外面は、外向きにテーパ状である。
【０２７４】
いくつかの実施形態では、内側本体２００の外面の上端部は、外側本体４００の切取部に対応する１つ又は複数のかかり／突出部（理想的には２つ）も含むことができる。かかりは、かかり及び切取部が、凹部及び突起によってもたらされる気密シールに干渉しないように環状突起の下方に位置する（したがって、切取部は、環状凹部の下方に位置する）。
【０２７５】
切取部内のチャネルと本体の内壁との境界は、鋭角を形成する。同様に、かかりの下端部は、内側本体２００の外壁に対して実質的に垂直である平坦な基部／面を提供する。内側本体２００を外側本体４００と組み立てるとき、かかりは、２つの部品が互いに押し付けられることを妨げない。かかりのテーパ状部分は、内側本体２００が外側本体４００によって受け入れられる際、かかりを切取部内に誘導し、且つ／又は外側本体４００の壁を外向きに徐々に押す。かかりが切取部内に位置すると、かかりの基部と切取部の境界との相互作用により、内側本体２００及び本体が分解されることが防止される。これにより、製造中、構成要素を容易に組み立てることができるが、使用中に分解が防止される。すなわち、コネクタは、内側本体２００及び外側本体４００を容易に分解又は分離することができないように、「１回限りの組立」コネクタとして構成される。組み立てられると、内側本体２００及び外側本体４００は、有効に永久的に互いに接続又は固定される。
【０２７６】
理想的には、組み立てられ弛緩状態になると、かかりは、切取部の壁と接触せず、例えば切取部内で浮遊する。この状況では、その保持力は、環状突起／フランジと凹部との相互作用によって提供される。
【０２７７】
かかりが切取部の壁と接触した場合、製造公差におけるいかなる小さい誤差も、環状突起及び凹部が適切なシールを形成することを妨げる可能性がある。この構成では、環状突起／フランジが凹部から外れるようにコネクタ１００に十分大きい力がかけられた場合、かかりは、切取部の基部とのみ接触する。このシナリオでは、かかりは、切取部の基部と当接する。
【０２７８】
構成要素をさらに分解するために必要な力は、凹部から環状突起を取り除くために必要な力よりもはるかに大きい（特に、構成要素は、さらに分解するために破壊する必要がある可能性がある）。突起が凹部からゆるみ、かかりが切取部にひっかかっている状況では、環状突起は、例えば、環状突起及び凹部の相互作用面に対する力を介してそれ自体の上に凹部を再係合させるような形状であり、且つそのように構成される。
【０２７９】
いくつかの実施形態では、コネクタは、より径の大きいチューブと関連するように構成することができる。したがって、外側本体のチューブ接続部分は、より径の大きいチューブと適合するように構成しなければならず、これにより外側本体が少なくとも１つの次元に沿って拡大する結果となる可能性があり、例えば外側本体の直径が増大する可能性がある。したがって、内側本体を、より幅の広い（すなわちより径の大きい）外側本体と適合するように構成しなければならない。いくつかの実施形態では、レバー２０３が外側本体の外側に位置することができるように、ブリッジ２０５を長くしなければならない。ブリッジ２０５が長くなることにより、ブリッジ２０５の堅さ／強度要件が変化することになる可能性がある。
【０２８０】
例えば、図２８に示す実施形態では、図７〜図１３を参照して記載した実施形態の構成に対する代替的な構成としてのコネクタ２００を示す。特に、図２８の実施形態に関連して、この構成は、図２９に関連して記載するように、リブ２１５を含む。図２８は、この場合にも図２９に関連して記載する組立リブ２２０及び肩部２１９も含む。
【０２８１】
図２９に示す実施形態では、ブリッジの屈曲領域のサイズを低減させることにより堅さを局所的に増大させるように、段状部２３０の形態の強化特徴部が提供される。強化特徴部は、レバー２０３のヒンジ点も変更することができる。これにより、より長いブリッジ２０５を含むレバー２０３は、上述したようなより短いブリッジのレバーと実質的に同じ圧縮力を達成することができる。ブリッジ２０５における強化特徴部は、コネクタ１００の異なる実施形態間のレバーの曲げ一貫性を提供することができる。段状部２３０は、作動部分２０３Ａとブリッジ２０５との間の交差部に提供される。
【０２８２】
いくつかの実施形態では、段状部２３０は、保持部分２０３Ｂとブリッジ２０５との間の交差部に提供される。いくつかの実施形態では、段状部２３０は、ブリッジ２０５に提供される。図示する実施形態では、各レバー２０３における強化特徴部は、レバーの両側からブリッジの中心平面に向かって互いに向かって延在する２つの段状部を含む。
【０２８３】
いくつかの実施形態では、各レバー２０３は、レバーのいずれかの側から延在する単一段状部２３０を含むことができる。いくつかの実施形態では、単一段状部２３０は、レバー２０３の側部間の実質的に中心位置に提供することができる。
【０２８４】
強化特徴部は、コネクタのサイズ又はコネクタが接続するチューブに関わらず、コネクタのブリッジ２０５に提供することができ、そこでは、強化特徴部を使用して、コネクタ１００を第２コネクタ８００と係合させるか又は係合解除するために、ブリッジに沿ったヒンジ点の位置及び／又はレバー２０３を屈曲させるために必要な圧縮力が調整される。
【０２８５】
いくつかの実施形態では、強化特徴部は、１つ又は複数の厚肉部分を有するブリッジ２０５を含むか、又はブリッジ２０５全体を厚くすることができる。いくつかの実施形態では、強化特徴部は、作動部分２０３Ａとブリッジとの交差部に提供される。いくつかの実施形態では、強化特徴部は、保持部分とブリッジとの交差部に提供される。いくつかの実施形態では、強化特徴部は、ブリッジに提供される。
【０２８６】
いくつかの実施形態では、ヒンジ点の位置を変更し、且つ／又はレバー２０３を屈曲させるために必要な圧縮力を低減させるために、ブリッジに弱化特徴部（図示せず）を提供することができる。弱化特徴部は、ブリッジ２０５の別個の薄肉部分（例えば、ブリッジ２０５の段状部）、ブリッジ２０５の複数の別個の薄肉部分（例えば、ブリッジ２０５が例えばディンプルによって凹凸化される）の形態であり得るか、又はブリッジ全体が薄くなる。
【０２８７】
いくつかの実施形態では、弱化特徴部は、作動部分２０３Ａとブリッジとの交差部に提供される。いくつかの実施形態では、弱化特徴部は、保持部分とブリッジとの交差部に提供される。いくつかの実施形態では、弱化特徴部は、ブリッジに提供される。
【０２８８】
強化特徴部及び弱化特徴部を使用して、レバー２０３を屈曲させ、且つ／又は保持部分２０３Ｂをコネクタ１００の中心に向かって若しくは中心から離れるように移動させるために必要な力を調整することができる。いくつかの実施形態では、ブリッジは、１つ又は複数の強化特徴部を含む。いくつかの実施形態では、ブリッジは、１つ又は複数の弱化特徴部を含む。いくつかの実施形態では、ブリッジは、１つ又は複数の強化特徴部と１つ又は複数の弱化特徴部とを含む。
【０２８９】
コネクタが強化特徴部を含む図２９の実施形態では、作動部分２０３Ａのコネクタ１００の中心に向かう移動により、保持部分２０３Ｂがコネクタ１００の中心から離れるように移動することを確実にするために、レバー２０３の作動部分２０３Ａと保持部分２０３Ｂとを接合するリンク部分２３１が提供される。
【０２９０】
リンク部分２０３がない場合、段状部２０３は、実質的にレバー２０３を横切り、且つレバー２０３の側部間に延在してさらなるヒンジ点をもたらし、それを中心に作動部分２０３Ａが枢動することができる。こうした実施形態では、作動部分２０３Ａは、保持部分２０３Ｂをコネクタ１００の中心から離れるように移動させる前により大きい作動力及び／又は移動の距離を必要とする可能性がある。いくつかの実施形態では、コネクタは、１つ又は複数のリンク部分２３１と１つ又は複数の段状部２３０とを含む。いくつかの実施形態では、コネクタは、複数のリンク部分２３１と複数の段状部２３０とを含む。
【０２９１】
図２９Ｄ及び図２９Ｅは、上で概説した段状部２３０の代わりに、代替的な強化特徴部２３０’の様々な実施形態例を示す。強化セクション２３０及び２３０’は、作動部分２０３Ａに（軸方向内向きに等）加えられる力の移動を容易にして、保持部分２０３Ｂの端部の保持機械的突起２０７が凹部８０３からその位置が解除される解除に役立つ。こうした強化は、ブリッジ領域２０５におけるレバーのねじり又は他の撓みに抵抗することにさらに役立つことができる（ユーザがコネクタ１００と第２コネクタ８００との接続又は分離を行っているとき、レバー２０３に力が加えられているとき等。
【０２９２】
図２９Ｄ〜図２９Ｇでは、強化特徴部２３０’は、作動部分２０３Ａとブリッジ２０５との間の交差部分として提供される。
【０２９３】
図２９Ｄ〜図２９Ｅでは、厚肉強化特徴部２３０’は、段状部を含み、レバー２０３の一方の側部から（同じ）レバー２０３の他方の側部まで延在し、すなわち、強化特徴部２３０’は、ブリッジの幅の一方の縁部又は側部から別の縁部又は側部まで又は実質的にレバー２０３とのブリッジ相互接続部を横切って延在する。代替実施形態では、強化特徴部２３０’は、レバー２０３の縁部又は側部間の少なくとも一部分に延在することができる。
【０２９４】
図２９Ｆ〜図２９Ｇでは、強化特徴部２３０’は、傾斜部を含み、レバー２０３の縁部又は側部間の少なくとも一部分に延在する。（ブリッジとレバーとの厚肉交差部分であり得る）強化特徴部２３０’は、レバー２０３の側部間の実質的に中心に位置決めされる。
【０２９５】
これらの図から示されているように、ブリッジ２０５は、作動部分２０３Ａと保持部分２０３Ｂとの間に配置される。上述したように、ブリッジ２０５は、強化特徴部２３０又は２３０’を含み得る。強化特徴部は、作動部分２０３Ａとブリッジ２０５との間の交差部に段状部（又は他の接合部）を含むことができる。
【０２９６】
強化特徴部２３０、２３０’は、レバーの両側の側部又は縁部からブリッジ２０５の中心平面に向かって互いに向かって延在する、２つの（又はそれより多い）段状部を含むことができる。
【０２９７】
強化特徴部２３０、２３０’は、ブリッジ２０５の厚肉部分を含むことができる。厚肉部分は、作動部分２０３Ａとブリッジ２０５との交差部に提供することができる。
【０２９８】
作動部分２０３Ａは、力が加えられたときの作動部分２０３Ａの屈曲又は撓みを実質的に制限するリブ（又は他の補強若しくは強化部分）を含むことができる。
【０２９９】
チューブ接続部
図１４〜図１９及び図２１を参照すると、コネクタ１００は、導管３００と係合するチューブ接続部分４０３を有する。図示する実施形態では、チューブ接続部分４０３は、外側本体４００の一部である。他の実施形態では、チューブ接続部分４０３は、内側本体２００の一部である。ガス経路を画定するチューブ接続部分チューブ接続部分４０３である。ガス経路は、内側本体のガス経路と流体連通する。
【０３００】
図１４〜図１９及び図２１を参照すると、外側本体は、チューブ接続特徴部を提供され、及び内側本体は、チューブ接続特徴部がない。内側本体と外側本体とのアセンブリが作製されるとき、前記アセンブリが外側本体のチューブ接続特徴部のみを介してチューブに接続されるように、外側本体がチューブ接続特徴部を含む。
【０３０１】
チューブ接続部分４０３は、管状部材である。チューブ接続部分４０３は、経路内に入る少なくとも突起４０７の対を有する。経路は、雌ねじ面を有する導管３００をチューブ接続部分４０３の上にねじ込むことができるように、概してらせん形の輪郭を有する。
【０３０２】
いくつかの実施形態では、突起４０７は、チューブ接続部分４０３の一方の側において軸方向に配置することができる。すなわち、チューブ接続部分４０３の一方の側において２つ以上の突起４０７があり得る。軸方向に位置決めされた突起４０７もらせん状経路内に入る。
【０３０３】
代替実施形態では、チューブ接続部分４０３は、雄ねじを含むことができる。ねじは、管状部材の周囲に延在する完全ねじであり得る。代わりに、ねじは、ねじの短い部分を有し、その短い部分間に間隙又は空間がある不完全ねじであり得る。
【０３０４】
導管３００は、渦巻状に巻回することができ、チューブ接続部分４０３の突起４０７の経路は、渦巻状巻回導管のテーパ／らせん形配置と概して一致するように配置される。いくつかの実施形態では、突起の経路は、渦巻状巻回導管のらせん形配置と厳密に一致しないが、突起の場所がチューブ３００のねじと係合するように設計される。突起は、チューブ３００の雌ねじ部分の縁部／境界に位置決めされるように配置される。典型的ならせん形ねじの代わりに一続きの突起４０７を使用することにより、アセンブリは、チューブ径の相違をより許容するものとなる。
【０３０５】
好ましくは、突起４０７は、テーパの１回転と一致するように配置され、最初で最後の突起のみが軸方向に位置合せされる。最初で最後の突起４０７が軸方向に位置合せされることにより、後述するように、チューブの軸方向移動も防止されるか又は少なくとも実質的に阻止される。
【０３０６】
導管３００は、長尺状チューブを形成するように渦巻状に巻回している２つ以上の別個の構成要素から作製された複合構造体であり得る。好適な導管は、国際公開第２０１２／１６４４０７号に記載されているチューブであり、この出願は、その全体が参照により本明細書に援用される。突起４０７は、このチューブと一列に並ぶように配置されて、中空内腔が圧縮されるようにすることにより部材と係合する。
【０３０７】
第２渦巻状巻回部材を第１部材と絡み合わせることができ、第２部材は、中実プラスチックから作製される。第２部材は、実質的に非圧縮性であり、したがって突起を通り越すことができないため、第１部材のいずれかの側の第２部材の巻きにより、突起が第１部材と係合すると導管３００の軸方向移動が防止される。第１部材は、突起自体よりもわずかに幅が広いため、わずかな軸方向移動は、依然として可能である可能性があり、それにより、突起２０７は、第２部材の２つの隣接する巻きによってもたらされる境界間で移動することが可能となる。
【０３０８】
この軸方向移動は、上述した２つの軸方向に位置合せされた突起４０７によって防止／制限することができる。突起４０７の一方が第１渦巻状部材の下側境界と係合し、他方の突起４０７が第１渦巻状部材の上側境界と係合するように突起４０７の配置を変更することができる。図２１は、２つの軸方向に対向する突起が同様の機能を提供する一実施形態を示す）。
【０３０９】
いくつかの実施形態では、突起４０７の場所は、突起がチューブの隣接／近接するらせん形部分をはさみ付けるように選択又は設計することができる。製造中、導管３００と外側本体４００とが接続される前、導管のワイヤが露出される。外側本体４００は、呼吸導管の露出したワイヤを配置する位置合せ又は引込み特徴部を有することができる。位置合せ又は引込み特徴部は、広い入口から狭い出口までテーパ状であるテーパ状チャネルを含む。これにより、ワイヤを所望の場所に向かって確実に誘導することができ、後述するように、ワイヤの末端部の電気接点を電気ピンにはんだ付けすることができる。
【０３１０】
図３０及び図３１を参照すると、本明細書に開示するような導管３００の補強特徴部に対する位置合せ又は引込みとして突出部４２０を提供することができる。突出部４２０は、半径方向外向きに延在する突出部として提供することができ、本明細書に記載するように導管チューブ３００へのガイドを提供することができる。
【０３１１】
実施形態例では、突出部４２０は、リブ又はフィン形状部分４２０の形態をとることができる。突出部４２０は、有利には、コネクタ及び導管の組立に役立つことができ、本明細書に記載するようにオーバーモールドプロセス中の分離を防止することができる。
【０３１２】
突出部４２０は、導管の補強特徴部を分離し、且つ補強特徴部を（補強特徴部が分離されるときに取り除かれる導管の他の任意の部分とともに）ワイヤ分離突起４３０に向かって誘導するように構成された隆起した突起を含むことができる。
【０３１３】
ワイヤ分離突起４３０は、後述するような電気ピンに取り付けるために、導管の補強特徴部において２つ以上のワイヤを分離するか、又はその分離を維持するか、又はそれらを誘導するように構成することができる。
【０３１４】
チューブ接続部分は、導管３００の最初のセクションの流路が第２コネクタ８００の最後のセクションを通る流路に対して角度をなすように、角度をなして配置することができる。これにより、導管３００の最初のセクションがデバイスの表面と垂直な方向からオフセットする。この角度により、導管３００をデバイスの正面の方に向けることができ、導管３００は、デバイスの画面１２４を不明瞭にする可能性があるデバイスの背面とは対照的に、デバイスの正面に向かって曲がる可能性が高くなる。
【０３１５】
第２コネクタ８００とチューブ接続部分との間の角度が大きいほど、導管が画面１２４から離れる方向に延在するように促進される可能性が高い一方、角度が小さいほど、導管３００を通るガスの流れに対するインピーダンスが小さくなる。角度は、０°（すなわち第２コネクタ８００に対して平行）〜９０°（すなわち第２コネクタ８００に対して垂直）、若しくは約５°〜約４５°、若しくは約１０°〜約３０°、若しくは約１５°〜約２０°又は上述した任意の２つの角度間であり得る。
【０３１６】
図１４を参照すると、チューブ接続部分は、本体の長手方向軸から、約０°を超え且つ約９０°未満である角度で延在する。この角度は、約５°を超え且つ約６０°未満、約１０°を超え且つ約４０°未満又は約１５°を超え且つ約２０°未満である。チューブ接続部分は、電気サブアセンブリ５００の１つの長手方向軸から、約０°を超え且つ約９０°未満である角度で延在する。
【０３１７】
外側本体４００は、内側本体２００のかなりの部分を包囲する外壁を有する。コネクタ１００がデバイスの第２コネクタ８００に接続されると、外壁は、第２コネクタ８００をさらに包囲する。外壁は、内側本体２００及び本体をともに組み立てるとき、内側本体２００のブリッジの通過を可能にする切取セクションを有することができる。
【０３１８】
切取部の幅は、好ましくは、内側本体２００の各ブリッジ２０５に位置する位置合せ突起２０９の先端部間の距離と一致する。組み立てられると、突起は、各側部で切取部と接触して、内側本体２００と外側本体４００との正確な角度位置合せを確実にする。
【０３１９】
電気ピン
コネクタ１００は、電気サブアセンブリ５００を有する。電気サブアセンブリ５００は、本体５０１と、本体５０１から外向きに延在する電気ピン（接点）５０３とを有する。電気サブアセンブリ本体５０１は、非導電性材料で形成される。電気サブアセンブリ５００は、外側本体４００のレセプタクルによって受け入れられる。電気サブアセンブリ５００が外側本体４００と組み立てられると、電気ピンの上端部は、導管の露出した電気接点の上にはんだ付けされる。
【０３２０】
電気ピン５０３の下端部は、レセプタクルを通過して、外側本体の基部の露出した凹部内に入る。このセクションは、コネクタ１００の電気コネクタ部分を形成する。デバイス出口と組み立てられると、デバイス上の突出する電気コネクタは、コネクタの凹状電気コネクタ内に挿入され、電気ピン５０３は、突出する電気コネクタの穴内に挿入される。
【０３２１】
外側本体４００は、デバイスとコネクタ１００との電気接続部を位置合せすることに役立つ位置合せ又は引込み特徴部も含むことができる。位置合せ又は引込み特徴部は、ユーザが２つの構成要素を互いに押し付ける際、コネクタ１００が第２コネクタ８００と正確な角度で位置合せされるように、レセプタクルのテーパ状末端部の形態であり得る。
【０３２２】
本体５０１は、レセプタクルの周囲で外側本体４００の上面と当接するように設計される離隔部分を有することができる。これは、はんだ付け前に電気サブアセンブリ５００を正確な高さに配置する役割を果たす。本体の基部は、レセプタクルの内側の凹部に対応する１つ又は複数の突起をさらに有することができる。電気サブアセンブリ５００を外側本体４００と組み立てるとき、突起は、はんだ付けプロセス及びさらにオーバーモールドプロセスのために電気サブアセンブリ５００を適所に保持するために凹部内にクリップ式に留まる。
【０３２３】
電気サブアセンブリ５００は、オーバーモールド部の上方部分から水平に延在するタブの形態の保持特徴部を有することができる。保持特徴部は、さらにオーバーモールドされる前に、外側本体４００の相補的な凹部内に挿入されて、外側本体４００と電気サブアセンブリ５００とのより確実な嵌合をもたらす。
【０３２４】
中間シェル
電気インサート５００が外側本体４００と組み立てられ、導管の電気接点にはんだ付けされると、外側本体４００に中間シェル６００が付与される。中間シェル６００は、コネクタ１００が完全に組み立てられたとき、外側本体４００とカバー７００との間にある。
【０３２５】
中間シェル６００は、電気サブアセンブリ５００と、導管３００の端部分と、はんだ付けされた電気接点とを覆う。これは、電気接続部を保護し、且つ組み立てられた電気サブアセンブリ５００及び導管３００を外側本体４００とともに保持する役割を果たす。中間シェル６００は、このデバイス又は他のデバイスから漏れる酸素リッチガス等のガスから電気接続部を気密封止する別の保護層としても作用する。
【０３２６】
外側本体４００と電気サブアセンブリ５００とは、外側本体４００を内側本体２００と組み立てる前に中間シェル６００と組み立てることができる。中間シェル６００と外側本体４００とが互いに結合するように、中間シェル６００に使用される材料は、外側本体４００に使用される材料と同様であるか又は適合性のある材料である。したがって、中間シェル６００及び外側本体４００に使用される材料は、導管３００と、中間シェル６００と、外側本体４００との結合を容易にするために導管３００に使用される材料と同様であるか又は適合性がある。
【０３２７】
外側本体４００及び中間シェル６００の材料は、構成要素の一方の成形プロセスが他方の構成要素の成形プロセスに影響を与えることなく、同時成形又はオーバーモールドすることができる。例えば、両方の材料は、他方の構成要素に影響を与えない溶融温度を有する。特に、外側本体４００の上に中間シェル６００を成形することにより、外側本体４００は、溶融又は変形しない。さらに、中間シェル６００と外側本体４００とは、互いに結合する。
【０３２８】
上述したように、このシナリオで別個の内側本体２００及び本体を有することは、有益であり、それは、一方の材料が、内側本体２００に対して、必要な機械的性能を満たすように使用され得る一方、第２材料が、外側本体４００に対して、オーバーモールドによる結合を可能にするように使用されるためである。
【０３２９】
外側本体４００は、中間シェル６００とオーバーモールドされるセクションの縁部の周囲に隆起特徴部を有することができる。これにより、製造工具がオーバーモールドプロセス中に適切なシールをもたらすことがより容易になり、それによりバリ等のオーバーモールド部における欠陥の可能性が低減する。
【０３３０】
コネクタ１００を第２コネクタ８００に接続するとき、好ましくは、コネクタ１００の電気ピン５０３とデバイスの電気コネクタとの電気接続前に、気密シール、すなわちデバイス出口に対して封止する内側本体２００のワイパシールが生成される。
【０３３１】
図示する実施形態では、中間シェル６００は、外側本体４００にオーバーモールドされるか、又は外側本体４００と同時成形される。
【０３３２】
エラストマー外側カバー
上述したように、内側本体２００及び外側本体４００は、ガスが例えば呼吸デバイスから患者インタフェースまで流れるガス経路を画定する。添付図面は、作動特徴部を含む内側本体２００保持機構の詳細を示す。１つの代替実施形態では、外側本体４００は、作動特徴部を含む保持機構を有することができる。
【０３３３】
別の代替実施形態では、コネクタは、（別個の内側本体及び外側本体なしに）単一本体を有することができる。その単一本体は、作動特徴部を備えた保持機構を有することができる。
【０３３４】
作動特徴部は、手動で操作可能である。本明細書に記載する実施形態によれば、作動特徴部は、レバーの作動部分である。代替実施形態では、作動特徴部は、手動で操作されることに応じて移動するボタン、スイッチ又は本体の一部であり得る。
【０３３５】
様々な構成要素を包囲するようにコネクタ１００を覆うカバー７００を提供することができる。カバー７００は、第１開口部７０１及び第２開口部７０３を有するスリーブ７０１として形成される。第１開口部は、第２開口部よりも小さい。スリーブの形状は、概して、外側本体４００及び中間シェル６００を含む、コネクタの他の構成要素の形状に対応する。カバー７００は、エラストマー材料から形成される。カバー７００は、可撓性及び弾性である。カバー７００は、外側本体の摩擦係数と比較して高い摩擦係数も有する。
【０３３６】
カバー７００は、作動特徴部の上に延在する。可撓性カバー７００は、作動特徴部の上に延在するが、作動特徴部がユーザによって手動で操作されることも可能にする。カバー７００は、フィンガを最小の力で撓ませることもでき、作動特徴部の作動に影響を与えない。
【０３３７】
様々な構成要素が組み立てられた後にコネクタ１００の上に摺動させるために、組み立てる前に導管３００の上にカバー７００を摺動させることができる。カバー７００は、外側本体４００と摩擦嵌合されるか又は締り嵌めで嵌合される。カバー７００は、カバー７００の内側の基部の近くに半環状凹部７０５を含み、それは、外側本体４００の外側の基部の半環状突起と相補的である。
【０３３８】
代替実施形態では、凹部は、他の形状を有することができる。例えば、凹部は、完全に環状であり得る。凹部７０５と突起との相互作用は、外側本体４００の上にカバー７００を保持する役割を果たす。さらに又は代わりに、カバー７００及び外側本体４００を互いに摩擦嵌合させ、且つ／又は締り嵌めで嵌合させることも可能である。
【０３３９】
カバー７００は、均一な外面を提供する。カバー７００は、コネクタ１００の様々な構成要素も保護する。外側本体４００及び中間シェル６００は、カバー７００の内面と相補的であるような形状であり得る。これは、組み立てられたコネクタ１００が、中空セクションを有する場合とは対照的にカバー７００に対して中実の感触を有するようにカバー７００を支持する。中間シェル６００及び／又は外側本体４００が過度の量の材料を使用することなく所望の形状を達成することができるように、中間シェル６００及び／又は外側本体４００は、一続きのリブを通してこの形状を達成することができる。
【０３４０】
レバー２０３を作動させるとき、カバー７００は、レバー２０３の上方部分に圧力を加える中間面として作用する。これにより、ユーザが相互作用するためにより軟質且つより丸みのある表面を提供する。カバー７００は、ユーザがレバー２０３を作動させるために圧力を加える必要がある場所の指標を有することができる。
【０３４１】
指標は、触覚及び／又は視覚により識別可能である表面特徴部の形態をとることができる。指標は、厚肉断面を有することができ、これは、タブを作動させるユーザにより快適な感覚を提供する。図示する実施形態では、カバー７００は、作動部分２０３Ａに対応する厚肉部分７０７を有する。厚肉部分７０７は、外面特徴７０９を有する。カバー７００は、厚肉部分をカバー７００の残りの部分に接続する薄肉部分７１１を有する。薄肉部分７１１により、作動させたとき、カバー７００の隣接する部分が移動することができる。特に、薄肉部分７１１により、厚肉部分は、作動したとき、内向きに又はコネクタ１００の中心に向かって移動することができる。カバー７００は、指標に隣接するより薄い材料の部分を有することができ、それによりタブを作動させたとき、前記材料セクションがより容易に折り曲がることができる。
【０３４２】
カバー７００がエラストマー材料から作製されるため、カバー７００の材料により、カバー７００は、その静止時形状から作動形状に動き、且つその後、静止時形状に戻ることができる。
【０３４３】
カバー７００は、厚肉肩部７１５を備えた基部７１３を有することができる。肩部７１５は、コネクタを第２コネクタ８００に取り付けるときにユーザが押下する面を提供する。厚肉部分は、エラストマー材料から形成されることと組み合わさって、コネクタ１００の外周部、特にレバー２０３の保持部分２０３Ｂの周囲に対して、内側に向けられる力をさらに提供することができる。換言すれば、カバー７００は、内向きバイアスの方向を提供するように事前成形することができる。代わりに、カバー７００をコネクタ１００よりもわずかに小さいように形成することができ、カバー７００が現場に置かれると、カバーをコネクタ１０００の上の適所で保持するようにカバーの「伸張」を達成することができる。上記により、第２コネクタ８００の相補的な凹部内に突起を保持する力を増大させることができる。
【０３４４】
図３１Ａ及び図３１Ｂは、リブ４４０の形態の位置合せ特徴部を示す。それは、上で概説した厚肉部分における凹部に対応することができる。
【０３４５】
カバー７００は、外側本体４００の特徴部と相補的である複数の特徴部を有する。特に、カバー７００及び外側本体４００は、それら構成要素を互いにキー接続し、外側本体４００に対するカバー７００の回転又は枢動を防止する相補的な特徴部（例えば、リブ４４０及びカバー７００の厚肉部分におけるそれらの対応する凹部）を有する。特に、外側本体４００は、リブ４４０を有し、カバー７００は、相補的な凹部を有する。
【０３４６】
リブ４４０のいくつかは、あり得る回転の方向に対して横切る方向に延在する。特に、リブのいくつかは、図３１Ａ及び図３１Ｂにおけるリブ４４０によって示すように、垂直に（又はコネクタ１００の中心軸に対して実質的に平行に）延在して、垂直方向における回転を防止するか又は少なくとも実質的に阻止する。他のリブは、カバーにおける相補的な凹部内で入れ子になる半円形リブ４４０Ａである。この場合にも、これらのリブは、外側本体４００に対するカバー７００の回転を防止するか又は少なくとも実質的に阻止し、外側本体の上でのカバーの保持に役立つことができる。
【０３４７】
いくつかの実施形態では、カバーと外側本体４００とを互いにキー接続し、外側本体４００に対するカバー７００の回転又は枢動を防止する特徴部は、外側本体４００及びカバー７００の非円形形状を含む。外側本体４００及び／又は中間シェル６００は、カバー７００を支持する１つ又は複数のリブを有する。外側本体４００は、電気接続部のための電気サブアセンブリを有する。本体は、電気接続部の周囲を気密封止するオーバーモールド部を有する。
【０３４８】
上述したように、外側本体４００の材料は、導管３００の材料と同じであるか又は適合性がある。すなわち、外側本体及び導管の材料は、構成要素の一方の成形プロセスが他方の構成要素の成形プロセスに影響を与えることなく、同時成形又はオーバーモールドすることができる。例えば、両方の材料は、他方の構成要素に影響を与えない溶融温度を有する。特に、導管の上に外側本体を成形することにより、導管は、溶融又は変形しない。さらに、外側本体及び導管は、互いに結合する。
【０３４９】
いくつかの実施形態では、コネクタ１００は、導管３００と組み合わせて提供することができる。例えば、外側本体４００を導管３００の上にオーバーモールドすることができる。中間シェル６００も導管３００、外側本体４００又は導管３００及び外側本体４００の両方の上にオーバーモールドすることができる。図示する実施形態では、中間シェル６００は、電気サブアセンブリ５００の上にもオーバーモールドされる。
【０３５０】
いくつかの実施形態では、内側本体２００、外側本体４００及びカバー７００は、同じ材料から作製することができる。他の実施形態では、内側本体２００、外側本体４００及びカバー７００は、異なる材料から作製することができる。
【０３５１】
別段文脈から明らかに必要でない限り、本明細書及び特許請求の範囲を通して、「含む」、「含んでいる」等の語は、排他的又は網羅的な意味とは対照的に包括的な意味、すなわち「含むが、限定されない」という意味で解釈されるべきである。
【０３５２】
本明細書に開示する数の範囲に対する言及（例えば、１〜１０）は、その範囲内のすべての有理数（例えば、１、１．１、２、３、３．９、４、５、６、６．５、７、８、９及び１０）及びその範囲内の有理数の任意の範囲（例えば、２〜８、１．５〜５．５及び３．１〜４．７）に対する言及も組み込むことが意図され、したがって、本明細書に明示的に開示するすべての範囲のすべての部分範囲は、これによって明示的に開示されている。これらは、具体的に意図されるものの単なる例であり、列挙される最低値と最高値との間の数値のすべてのあり得る組合せが本明細書において同様に明示的に言及されているようにみなされるべきである。
【０３５３】
本明細書で用いる場合の名詞に続く「（複数）」という用語は、その名詞の複数形及び／又は単数形を意味する。
【０３５４】
本明細書で用いる場合の「及び／又は」という用語は、「及び」若しくは「又は」又は文脈から可能である場合には両方を意味する。
【０３５５】
本明細書において「〜ように構成される」という用語が用いられる場合、その用語は、代わりに、「〜ように配置される」又は「〜ように適合される」と置き換えることができる。
【０３５６】
上述した記載において、既知の均等物を有する完全体又は構成要素について言及している場合、それらの完全体は、個々に示されているかのように本明細書に組み込まれる。
【０３５７】
本開示は、本出願の本明細書において言及するか又は示す部分、要素及び特徴を、個々に又はまとめて、前記部分、要素又は特徴の２つ以上の任意の又はすべての組合せを含むと広く言われ得る。
【０３５８】
本明細書におけるいかなる先行技術に対する言及も、その先行技術が、世界中のいかなる国においても努力傾注分野において共通の一般知識の一部を形成するという承認又はいかなる形態の示唆でもなく、且つそのように解釈されるべきではない。
【０３５９】
本開示のいくつかの構成のいくつかの特徴、態様及び利点について、呼吸療法システムでのガス加湿システムの使用に関して説明した。しかしながら、記載したようなガス加湿システムの使用のいくつかの特徴、態様及び利点は、ガスの加湿を必要とする他の治療若しくは非治療システム又はさらに非加湿システムで有利に使用することができる。本開示の方法及び装置のいくつかの特徴、態様及び利点は、代替的なコネクタを必要とする他のシステムでのコネクタ及び使用に等しく適用することができる。
【０３６０】
本開示について、いくつかの実施形態に関して説明しているが、当業者に明らかである他の実施形態が本開示の範囲内にある。したがって、本開示の趣旨及び範囲から逸脱することなく、様々な変形形態及び変更形態を作成することができる。例えば、様々な構成要素を必要に応じて再配置することができる。上述した構成の任意のものからの特徴を互いに組み合わせることができ、且つ／或いは呼吸補助システム又は呼吸療法システム或いは患者にガスを送達するシステムの一部を形成する加湿器又は他の構成要素若しくはデバイスは、上述した構成の１つ又は複数を含むことができる。さらに、本開示を実施するために、特徴、態様及び利点のすべてが必ずしも必要ではない。したがって、本開示の範囲は、以下の特許請求の範囲によってのみ定義されるように意図される。
【図１Ａ】
2021533903.tif 000003
【図１Ｂ】
2021533903.tif 000004
【図２】
2021533903.tif 000005
【図３】
2021533903.tif 000006
【図４】
2021533903.tif 000007
【図５】
2021533903.tif 000008
【図６Ａ】
2021533903.tif 000009
【図６Ｂ】
2021533903.tif 000010
【図６Ｃ】
2021533903.tif 000011
【図６Ｄ】
2021533903.tif 000012
【図７】
2021533903.tif 000013
【図８】
2021533903.tif 000014
【図９】
2021533903.tif 000015
【図１０】
2021533903.tif 000016
【図１１】
2021533903.tif 000017
【図１２】
2021533903.tif 000018
【図１３】
2021533903.tif 000019
【図１４】
2021533903.tif 000020
【図１５】
2021533903.tif 000021
【図１６】
2021533903.tif 000022
【図１７】
2021533903.tif 000023
【図１８】
2021533903.tif 000024
【図１９】
2021533903.tif 000025
【図２０】
2021533903.tif 000026
【図２１】
2021533903.tif 000027
【図２２】
2021533903.tif 000028
【図２２Ａ】
2021533903.tif 000029
【図２３】
2021533903.tif 000030
【図２４Ａ】
2021533903.tif 000031
【図２４Ｂ】
2021533903.tif 000032
【図２４Ｃ】
2021533903.tif 000033
【図２４Ｄ】
2021533903.tif 000034
【図２５】
2021533903.tif 000035
【図２６】
2021533903.tif 000036
【図２７】
2021533903.tif 000037
【図２８】
2021533903.tif 000038
【図２９】
2021533903.tif 000039
【図２９Ａ】
2021533903.tif 000040
【図２９Ｂ】
2021533903.tif 000041
【図２９Ｃ】
2021533903.tif 000042
【図２９Ｄ】
2021533903.tif 000043
【図２９Ｅ】
2021533903.tif 000044
【図２９Ｆ】
2021533903.tif 000045
【図２９Ｇ】
2021533903.tif 000046
【図３０】
2021533903.tif 000047
【図３１】
2021533903.tif 000048
【図３１Ａ】
2021533903.tif 000049
【図３１Ｂ】
2021533903.tif 000050
【図３１Ｃ】
2021533903.tif 000051
【図３１Ｄ】
2021533903.tif 000052
【図３１Ｅ】
2021533903.tif 000053
【国際調査報告】
2021533903.tif 000054
2021533903.tif 000055
2021533903.tif 000056
2021533903.tif 000057
2021533903.tif 000058
2021533903.tif 000059
2021533903.tif 000060
2021533903.tif 000061
2021533903.tif 000062
2021533903.tif 000063